(57)【要約】 【課題】  良好に動画を含むメッセージを伝達できるＴＶ電話提供システムを提供する。【解決手段】  認証手段４２２Ｂでパケット交換網を介して接続する携帯通信端末の顧客情報に基づいて利用資格があると判断すると、送信先情報取得手段４２２Ｃで送信先情報を取得し、接続許諾手段４２２Ｄで公衆電話網の所定の電話回線番号を報知する。電話回線接続した携帯通信端末からメッセージ取得手段４３２Ｂでメッセージデータを取得しメッセージ記憶領域４１２に記憶する。送信先情報に基づき、報知手段４２２Ｅでパケット交換網を介して送信先の携帯通信端末へメール案内する。案内に基づき送信先で認識した電話回線番号に基づいて接続する送信先の携帯通信端末へ、メッセージ送信制御手段４３２Ｃでメッセージデータを送信する。一連のメッセージを送信先の都合にかかわらずＴＶ電話と同様に同報伝達できる。【選択図】 図３
2006197341.tif 000002
【特許請求の範囲】
【請求項１】
携帯通信端末を所有する利用者に関する顧客情報を記憶する顧客情報記憶手段と、
パケット交換網を介して前記携帯通信端末から送信される顧客情報を取得し、前記顧客情報記憶手段に記憶された顧客情報と比較して利用資格の有無を判断する認証手段と、
この認証手段にて利用資格があると判断すると、前記パケット交換網を介して前記携帯通信端末へ公衆電話網における所定の電話回線の番号に関する回線情報を送信させる制御をする接続許諾手段と、
前記パケット交換網を介して前記携帯通信端末から送信され画像データを含むメッセージデータを送信する送信先に関する送信先情報を取得する送信先情報取得手段と、
前記所定の電話回線を介して前記携帯通信端末から送信される前記メッセージデータを取得してメッセージ記憶手段に記憶させる制御をするメッセージ取得手段と、
前記メッセージデータの取得により、前記送信先情報に基づいて、前記メッセージデータが送信された旨を前記送信先の携帯通信端末で報知させる報知信号を、前記送信先の携帯通信端末へ前記パケット交換網を介して送信させる制御をする報知手段と、
前記送信先の携帯通信端末から前記メッセージデータの送信要求に関する要求情報を認識すると、前記要求情報に基づいて前記メッセージ記憶手段に記憶された前記メッセージデータを前記送信先の携帯通信端末へ前記公衆電話網を介して送信させる制御をするメッセージ送信制御手段と、
を具備したことを特徴とした情報配信制御装置。
【請求項２】
請求項１に記載の情報配信制御装置であって、
前記メッセージ送信制御手段は、前記パケット交換網を介して前記送信先の携帯通信端末から送信される前記要求情報に含まれる顧客情報に基づいて前記認証手段が利用資格を有すると判断した前記送信先の携帯通信端末へ、前記公衆電話網を介して前記メッセージデータを送信させる制御をする
ことを特徴とした情報配信制御装置。
【請求項３】
請求項２に記載の情報配信制御装置であって、
前記メッセージ送信制御手段は、前記認証手段により利用資格を有すると判断した前記送信先の携帯通信端末へ、前記接続許諾手段により前記公衆電話網における所定の電話回線に関する回線情報を送信させ、前記所定の電話回線を介して前記送信先の携帯通信端末が接続されたことを認識すると前記要求情報として認識し、前記メッセージデータを送信させる制御をする
ことを特徴とした情報配信制御装置。
【請求項４】
請求項１ないし請求項３のいずれかに記載の情報配信制御装置であって、
前記メッセージ送信制御手段は、前記送信先の携帯通信端末へ送信する前記メッセージデータが前記メッセージ記憶手段に複数記憶されていることを認識すると、前記メッセージデータのうちのいずれを送信要求するかの設定を促す案内に関する案内情報を、前記電話回線を介して送信させる
ことを特徴とした情報配信制御装置。
【請求項５】
請求項１ないし請求項４のいずれかに記載の情報配信制御装置であって、
前記メッセージデータを送信した前記送信先の携帯通信端末から前記メッセージ送信制御手段へ削除を要求する旨の削除要求信号が送信されたことを認識すると、前記メッセージ記憶手段に記憶され前記送信した前記メッセージデータを削除する制御をする記憶制御手段を具備した
ことを特徴とした情報配信制御装置。
【請求項６】
請求項５に記載の情報配信制御装置であって、
前記記憶制御手段は、前記メッセージデータを送信する前記送信先の携帯通信端末が複数ある場合、全ての前記送信先の携帯通信端末から前記削除要求信号を認識することで前記メッセージデータを削除する制御をする
ことを特徴とした情報配信制御装置。
【請求項７】
請求項１ないし請求項６のいずれかに記載の情報配信制御装置であって、
前記メッセージ取得手段は、取得した前記メッセージデータを、このメッセージデータを送信した送信元の前記携帯通信端末を特定する送信元固有情報と前記メッセージデータを特定するメッセージ固有情報とを関連付けて前記メッセージ記憶手段に記憶させる制御をする
ことを特徴とした情報配信制御装置。
【請求項８】
請求項１ないし請求項７のいずれかに記載の情報配信制御装置であって、
前記送信先情報取得手段は、複数の送信先情報を１つのグループとして関係付けるグループ情報を取得可能で、
前記報知手段は、前記グループ情報に基づいて、１つのグループとして関連付けられた複数の送信先情報に対応する前記送信先の携帯通信端末へ前記報知信号を送信させる制御をする
ことを特徴とした情報配信制御装置。
【請求項９】
請求項８に記載の情報配信制御装置であって、
前記顧客情報記憶手段は、前記顧客情報に前記グルーブ情報を関連付けて記憶する
ことを特徴とした情報配信制御装置。
【請求項１０】
請求項１ないし請求項９のいずれかに記載の情報配信制御装置であって、
前記接続許諾手段は、前記認証手段にて利用資格があると判断すると、前記送信先情報取得手段により前記送信先情報の設定を促す旨の設定案内情報を前記メッセージデータの送信元の前記携帯通信端末へ前記パケット交換網を介して送信させるとともに、前記設定された送信先情報を前記送信先情報取得手段が取得したことを認識すると、前記回線情報を前記送信元の携帯通信端末へ送信させる制御をする
ことを特徴とした情報配信制御装置。
【請求項１１】
請求項１０に記載の情報配信制御装置であって、
前記接続許諾手段は、前記回線情報を送信させる制御をするとともに、前記設定された送信先情報に対応した前記送信先の携帯通信端末から送信される前記メッセージデータの取得待機状態に前記メッセージ取得手段を設定させる制御をする
ことを特徴とした情報配信制御装置。
【請求項１２】
請求項１ないし請求項９のいずれかに記載の情報配信制御装置であって、
前記メッセージ取得手段は、前記メッセージデータを取得すると、前記送信先情報取得手段により前記送信先情報の設定を促す旨の設定案内情報を前記メッセージデータの送信元の前記携帯通信端末へ前記パケット交換網を介して送信させるとともに、前記設定された送信先情報を前記送信先情報取得手段が取得したことを認識すると、前記報知手段にて前記報知信号を前記送信先の携帯通信端末へ送信させる制御を実施させる
ことを特徴とした情報配信制御装置。
【請求項１３】
請求項１ないし請求項１２のいずれかに記載の情報配信制御装置であって、
前記顧客情報記憶手段および前記メッセージ記憶手段を有したデータベースと、
前記パケット交換網を介して前記携帯通信端末に各種情報を送受信可能に接続されるとともに前記データベースに各種情報を送受信可能に接続され、前記認証手段、前記送信先情報取得手段、前記接続許諾手段、および前記報知手段を備えたパケット通信サーバ装置と、
前記公衆電話網を介して前記携帯通信端末に各種情報を送受信可能に接続されるとともに前記データベースおよび前記パケット通信サーバ装置に各種情報を送受信可能に接続され、前記メッセージ取得手段および前記メッセージ送信制御手段を備えた電話回線サーバ装置と、を備えた
ことを特徴とした情報配信制御装置。
【請求項１４】
請求項１ないし請求項１３のいずれかに記載の情報配信制御装置と、
前記パケット交換網および前記公衆電話網を介して前記情報配信制御装置と送受信可能に接続される前記携帯通信端末と、
を具備したことを特徴とした情報配信制御システム。
【請求項１５】
演算手段により、携帯通信端末から送信される画像データを含むメッセージデータを、所定の送信先の携帯通信端末に送信可能に取得して記憶する情報配信制御方法であって、
前記演算手段は、
パケット交換網を介して前記携帯通信端末から送信されこの携帯通信端末を所有する利用者に関する顧客情報を取得し、前記顧客情報を記憶する顧客情報記憶手段に記憶された顧客情報と比較して利用資格の有無を判断する認証工程と、
この認証工程で利用資格があると判断することにより、前記パケット交換網を介して前記携帯通信端末へ公衆電話網における所定の電話回線の番号に関する回線情報を送信する接続許諾工程と、
前記パケット交換網を介して前記携帯通信端末から送信される前記メッセージデータを送信する前記送信先の携帯通信端末に関する送信先情報を取得する送信先情報取得工程と、
前記所定の電話回線を介して前記携帯通信端末から送信される前記メッセージデータを取得してメッセージ記憶手段に記憶させるメッセージ取得工程と、
このメッセージ取得工程で前記メッセージデータを取得することにより、前記送信先情報に基づいて、前記メッセージデータが送信された旨を前記送信先の携帯通信端末で報知させる報知信号を、前記送信先の携帯通信端末へ前記パケット交換網を介して送信させる報知工程と、
前記送信先の携帯通信端末からの送信要求に関する要求情報を取得すると、前記メッセージ記憶手段に記憶された前記メッセージデータを前記送信先の携帯通信端末へ前記公衆電話網を介して送信させるメッセージ送信制御工程と、を実施する
ことを特徴とする情報配信制御方法。
【請求項１６】
演算手段を、請求項１ないし請求項１３のいずれかに記載の情報配信制御装置、または、請求項１４に記載の情報配信制御システムとして機能させる
ことを特徴とした情報配信制御プログラム。
【請求項１７】
請求項１６に記載の情報配信制御プログラムが演算手段に読取可能に記録された
ことを特徴とした情報配信制御プログラムを記録した記録媒体。
【発明の詳細な説明】
【技術分野】
【０００１】
本発明は、携帯通信端末から送信される画像データを含むメッセージデータを所定の送信先の携帯通信端末に送信可能に取得して記憶する情報配信制御装置、そのシステム、その方法、そのプログラム、および、そのプログラムを記録した記録媒体に関する。
【背景技術】
【０００２】
従来、携帯電話間で音声データや動画データなどのメッセージを伝達する構成が知られている。この携帯電話間でメッセージを伝達する構成として、例えば、いわゆるＴＶ電話機能やデータが添付された電子メール配信機能、伝言サービス機能など、各種構成が利用されている。しかしながら、いわゆるＴＶ電話機能では、メッセージを受信する側の携帯電話でＴＶ電話の機能がない場合には、メッセージを伝送できない。そして、受信側が直ちに電話に応対できない状態では、ＴＶ電話機能を利用できない不都合を生じる。さらに、ＴＶ電話機能では、複数の相手先にメッセージを伝達したい場合、それぞれに回線を接続する必要があり、良好な使い勝手が得られない。また、携帯電話の伝言サービス機能では、特定の相手先に割り当てられた記憶領域にのみメッセージが記憶され、複数の相手先にメッセージを伝達させるためには、それぞれに回線接続してメッセージを伝達しなければならず、良好な使い勝手が得られない。そこで、受信側の都合に合わせて複数の受信側でメッセージが取得可能で、受信側の都合に合わせてメッセージを認識可能な構成が知られている。（例えば、特許文献１参照）。
【０００３】
特許文献１に記載のものは、ＣＴＩサーバにより、公衆電話交換回線網を介して携帯電話などからメッセージとしての音声を受け取って所定の時間で区切って音声データに変換し、メッセージとして録音ファイル名と関連付けて録音データ・ファイルへ記録させる。そして、ＣＴＩサーバは、ユーザＩＤおよび掲示板ＩＤならびに録音ファイル名および録音日時を、メッセージを示すデータとして掲示板メッセージ管理データベースに記憶させる。ＣＴＩサーバは公衆電話交換回線網を介して携帯電話などが掲示板ＩＤを指定してデータを要求すると、掲示板サービス用サーバが掲示板ＩＤに関するデータを掲示板メッセージ管理データベースから検索し、掲示板メッセージ管理データベースから録音ファイル名を含むデータをＣＴＩサーバに提供する。そして、携帯電話などが録音日時を指定してメッセージを要求すると、ＣＴＩサーバは録音データ・ファイルから音声データを検索し、音声に変換して携帯電話などでメッセージを再生させる構成が採られている。
【０００４】
【特許文献１】特開２００３−１８８９９７号公報（第４頁左欄−第８頁右欄）
【発明の開示】
【発明が解決しようとする課題】
【０００５】
しかしながら、上記特許文献１に記載の構成では、近年のデータ処理能力の向上に応じて要請が高まっているＴＶ電話には対応できず、利便性が望めない。また、音声データとともに動画データをも合わせて記録する構成が考えられるが、仮に動画データをも合わせて記録可能とする構成としたとしても、ファイルの取扱を容易としてＣＴＩサーバに特殊な機能を必要としないために所定の時間で区切って記録したのでは、音声データより遙かにデータ量が多い音声および動画を含む映像データでは、より短い時間でしか録画できず、十分なメッセージの伝達ができなくなるおそれがある。
【０００６】
本発明は、このような実情などに鑑みて、良好に画像データを含むメッセージを伝達させる情報配信制御装置、そのシステム、その方法、そのプログラム、および、そのプログラムを記録した記録媒体を提供することを目的とする。
【課題を解決するための手段】
【０００７】
本発明の情報配信制御装置は、携帯通信端末を所有する利用者に関する顧客情報を記憶する顧客情報記憶手段と、パケット交換網を介して前記携帯通信端末から送信される顧客情報を取得し、前記顧客情報記憶手段に記憶された顧客情報と比較して利用資格の有無を判断する認証手段と、この認証手段にて利用資格があると判断すると、前記パケット交換網を介して前記携帯通信端末へ公衆電話網における所定の電話回線の番号に関する回線情報を送信させる制御をする接続許諾手段と、前記パケット交換網を介して前記携帯通信端末から送信され画像データを含むメッセージデータを送信する送信先に関する送信先情報を取得する送信先情報取得手段と、前記所定の電話回線を介して前記携帯通信端末から送信される前記メッセージデータを取得してメッセージ記憶手段に記憶させる制御をするメッセージ取得手段と、前記メッセージデータの取得により、前記送信先情報に基づいて、前記メッセージデータが送信された旨を前記送信先の携帯通信端末で報知させる報知信号を、前記送信先の携帯通信端末へ前記パケット交換網を介して送信させる制御をする報知手段と、前記送信先の携帯通信端末から前記メッセージデータの送信要求に関する要求情報を認識すると、前記要求情報に基づいて前記メッセージ記憶手段に記憶された前記メッセージデータを前記送信先の携帯通信端末へ前記公衆電話網を介して送信させる制御をするメッセージ送信制御手段と、を具備したことを特徴とする。
【０００８】
この発明では、認証手段により、パケット交換網を介して携帯通信端末から送信され携帯通信端末を所有する利用者に関する顧客情報を取得し、顧客情報を記憶する顧客情報記憶手段に記憶された顧客情報と比較して利用資格の有無を判断し、利用資格があると判断すると、接続許諾手段がパケット交換網を介して携帯通信端末へ公衆電話網における所定の電話回線の番号に関する回線情報を送信させる。所定の電話回線を介して携帯通信端末から画像データを含むメッセージデータが送信されると、メッセージ取得手段にて取得してメッセージ記憶手段に記憶させる。そして、メッセージデータの取得により、送信先情報取得手段により別途取得されパケット交換網を介して携帯通信端末から送信されたメッセージデータを送信する送信先に関する送信先情報に基づいて、メッセージデータが送信された旨を送信先の携帯通信端末で報知させる報知信号を、報知手段により送信先の携帯通信端末へパケット交換網を介して送信させる。また、メッセージ送信制御手段により、送信先の携帯通信端末からメッセージデータの送信要求に関する要求情報を認識すると、その要求情報に基づいてメッセージ記憶手段に記憶されたメッセージデータを送信先の携帯通信端末へ公衆電話網を介して送信させる。このため、一連のデータ構造であるストリームデータとして画像データを含むメッセージデータを一連に記憶することができ、送信先の都合にかかわらず、いわゆるＴＶ電話と同様に送信可能であるとともに、複数の送信先へも一動作で送信可能となる。さらに、送信先側では都合に応じてメッセージデータを適宜確認可能となる。したがって、良好に画像データを含むストリームデータのメッセージを伝達させることができ、利便性を向上できる。
【０００９】
そして、本発明では、前記メッセージ送信制御手段は、前記パケット交換網を介して前記送信先の携帯通信端末から送信される前記要求情報に含まれる顧客情報に基づいて前記認証手段が利用資格を有すると判断した前記送信先の携帯通信端末へ、前記公衆電話網を介して前記メッセージデータを送信させる制御をする構成とすることが好ましい。この発明では、メッセージ送信制御手段により、パケット交換網を介して送信先の携帯通信端末から送信される要求情報に含まれる顧客情報に基づいて認証手段が利用資格を有すると判断した送信先の携帯通信端末へ、公衆電話網を介してメッセージデータを送信させるため、利用資格を有する送信先の携帯通信端末のみがメッセージデータを取得できるので、メッセージの漏洩が防止できる。
【００１０】
また、本発明では、前記メッセージ送信制御手段は、前記認証手段により利用資格を有すると判断した前記送信先の携帯通信端末へ、前記接続許諾手段により前記公衆電話網における所定の電話回線に関する回線情報を送信させ、前記所定の電話回線を介して前記送信先の携帯通信端末が接続されたことを認識すると前記要求情報として認識し、前記メッセージデータを送信させる制御をする構成とすることが好ましい。この発明では、メッセージ送信制御手段により、認証手段で利用資格を有すると判断した送信先の携帯通信端末へ、接続許諾手段により公衆電話網における所定の電話回線に関する回線情報を送信させ、所定の電話回線を介して送信先の携帯通信端末が接続されたことを認識すると要求情報として認識し、メッセージデータを送信させるため、１つのストリームデータとして記憶するメッセージデータを、送信先側でいわゆるＴＶ電話と同様に連続して受信可能で、良好に画像データを含むストリームデータのメッセージを伝達させることができる。
【００１１】
さらに、本発明では、前記メッセージ送信制御手段は、前記送信先の携帯通信端末へ送信する前記メッセージデータが前記メッセージ記憶手段に複数記憶されていることを認識すると、前記メッセージデータのうちのいずれを送信要求するかの設定を促す案内に関する案内情報を、前記電話回線を介して送信させる構成とすることが好ましい。この発明では、メッセージ送信制御手段により、送信先の携帯通信端末へ送信するメッセージデータがメッセージ記憶手段に複数記憶されていることを認識すると、メッセージデータのうちのいずれを送信要求するかの設定を利用者に促す案内に関する案内情報を、接続している電話回線を介して送信させるため、所定の送信先の携帯通信端末へ複数のメッセージデータを伝達させることができるとともに、送信先の携帯通信端末側で所望とするメッセージを適切に取得でき、使い勝手を向上できる。
【００１２】
また、本発明では、前記メッセージデータを送信した前記送信先の携帯通信端末から前記メッセージ送信制御手段へ削除を要求する旨の削除要求信号が送信されたことを認識すると、前記メッセージ記憶手段に記憶され前記送信した前記メッセージデータを削除する制御をする記憶制御手段を具備した構成とすることが好ましい。この発明では、記憶制御手段により、メッセージデータを送信した送信先の携帯通信端末からメッセージ送信制御手段へ削除を要求する旨の削除要求信号が送信されたことを認識すると、メッセージ記憶手段に記憶され送信したメッセージを削除させるため、送信先の携帯通信端末で既に取得したメッセージデータを記憶する領域を有効活用でき、構成の簡略化が容易に図れるとともに、送信先の携帯通信端末で削除を要求しないことで再接続によるメッセージデータの再確認も可能となり、利便性を向上できる。
【００１３】
さらに、本発明では、前記記憶制御手段は、前記メッセージデータを送信する前記送信先の携帯通信端末が複数ある場合、全ての前記送信先の携帯通信端末から前記削除要求信号を認識することで前記メッセージデータを削除する制御をする構成とすることが好ましい。この発明では、記憶制御手段により、メッセージデータを送信する送信先の携帯通信端末が複数ある場合、全ての送信先の携帯通信端末から削除要求信号を認識することでメッセージデータを削除する制御をするので、全ての送信先の携帯通信端末がメッセージデータを取得するまで削除されないこととなり、確実に送信先にメッセージを伝達できる。
【００１４】
そして、本発明では、前記メッセージ取得手段は、取得した前記メッセージデータを、このメッセージデータを送信した送信元の前記携帯通信端末を特定する送信元固有情報と、前記メッセージデータを特定するメッセージ固有情報とを関連付けて前記メッセージ記憶手段に記憶させる制御をする構成とすることが好ましい。この発明では、メッセージ取得手段により、メッセージを送信した送信元の携帯通信端末を特定する送信元固有情報と、メッセージデータを特定するメッセージ固有情報とを取得したメッセージデータに関連付けて、メッセージ記憶手段に記憶させるため、メッセージ固有情報に基づいて送信元の携帯通信端末から複数のメッセージを特定して伝達できるとともに、送信元固有情報に基づいて送信先に送信元を報知することでいずれの送信元からのメッセージかを送信先で特定することも容易となる構成が、簡単なデータ構造で容易に得られ、メッセージの伝達および管理が容易となる。
【００１５】
また、本発明では、前記送信先情報取得手段は、複数の送信先情報を１つのグループとして関係付けるグループ情報を取得可能で、前記報知手段は、前記グループ情報に基づいて、１つのグループとして関連付けられた複数の送信先情報に対応する前記送信先の携帯通信端末へ前記報知信号を送信させる制御をする構成とすることが好ましい。この発明では、複数の送信先情報を１つのグループとして関連付けるグループ情報を取得可能な送信先情報取得手段がグループ情報を取得することにより、報知手段により、グループ情報に基づいて、１つのグループとして関連付けられた複数の送信先情報に対応する送信先の携帯通信端末へ報知信号を送信させるため、一動作で複数の送信先へメッセージを伝達させることが可能となり、利便性を向上できる。
【００１６】
さらに、本発明では、前記顧客情報記憶手段は、前記顧客情報に前記グルーブ情報を関連付けて記憶する構成とすることが好ましい。この発明では、顧客情報にグループ情報を関連付けて記憶するデータ構造に顧客情報記憶手段を構築することで、あらかじめ設定したグループ情報を選択するのみで複数の送信先へメッセージを伝達させることが可能となり、簡単なデータ構造で使い勝手を向上できる。
【００１７】
また、本発明では、前記接続許諾手段は、前記認証手段にて利用資格があると判断すると、前記送信先情報取得手段により前記送信先情報の設定を促す旨の設定案内情報を前記メッセージデータの送信元の前記携帯通信端末へ前記パケット交換網を介して送信させるとともに、前記設定された送信先情報を前記送信先情報取得手段が取得したことを認識すると、前記回線情報を前記送信元の携帯通信端末へ送信させる制御をする構成とすることが好ましい。この発明では、接続許諾手段により、認証手段にて利用資格があると判断すると、送信先情報取得手段により送信先情報の設定を促す旨の設定案内情報をメッセージデータの送信元の携帯通信端末へパケット交換網を介して送信させるとともに、設定された送信先情報を送信先情報取得手段が取得したことを認識すると、回線情報を送信元の携帯通信端末へ送信させるため、メッセージを伝達するための各種設定をパケット交換網により実施した後に、送信するメッセージデータを公衆電話網により取得する処理を実施するので、メッセージの伝達のためにパケット交換網と公衆電話網とを切り替える操作や処理の繰り返しを防止でき、円滑かつ迅速で容易なメッセージの伝達が得られる。
【００１８】
さらに、本発明では、前記接続許諾手段は、前記回線情報を送信させる制御をするとともに、前記設定された送信先情報に対応した前記送信先の携帯通信端末から送信される前記メッセージデータの取得待機状態に前記メッセージ取得手段を設定させる制御をする構成とすることが好ましい。この発明では、接続許諾手段により、回線情報を送信させる制御をするとともに、設定された送信先情報に対応した送信先の携帯通信端末から送信されるメッセージデータの取得待機状態にメッセージ取得手段を設定させるため、メッセージを伝達するための送信先などのパケット交換網における各種設定と、この設定の後に公衆電話網で取得するメッセージデータとを容易に関連付けることが可能となり、確実なメッセージの伝達が簡単な処理で可能となる。
【００１９】
また、本発明では、前記メッセージ取得手段は、前記メッセージデータを取得すると、前記送信先情報取得手段により前記送信先情報の設定を促す旨の設定案内情報を前記メッセージデータの送信元の前記携帯通信端末へ前記パケット交換網を介して送信させるとともに、前記設定された送信先情報を前記送信先情報取得手段が取得したことを認識すると、前記報知手段にて前記報知信号を前記送信先の携帯通信端末へ送信させる制御を実施させる構成とすることが好ましい。この発明では、メッセージ取得手段により、メッセージデータを取得すると、送信先情報取得手段にて送信先情報の設定を促す旨の設定案内情報をメッセージデータの送信元の携帯通信端末へパケット交換網を介して送信させるとともに、設定案内情報に基づいて設定された送信先情報を送信先情報取得手段が取得したことを認識すると、報知手段により報知信号を送信先の携帯通信端末へ送信させるため、メッセージデータを取得してから、メッセージを伝達するための送信先などの各種設定を実施するので、メッセージを取得して伝達するための一連の工程毎に処理が完結する状態となり、メッセージデータや伝達のための各種設定の情報の取扱が容易となり、処理の簡略化や迅速化が容易に得られる。
【００２０】
そして、本発明では、前記顧客情報記憶手段および前記メッセージ記憶手段を有したデータベースと、前記パケット交換網を介して前記携帯通信端末に各種情報を送受信可能に接続されるとともに前記データベースに各種情報を送受信可能に接続され、前記認証手段、前記送信先情報取得手段、前記接続許諾手段、および前記報知手段を備えたパケット通信サーバ装置と、前記公衆電話網を介して前記携帯通信端末に各種情報を送受信可能に接続されるとともに前記データベースおよび前記パケット通信サーバ装置に各種情報を送受信可能に接続され、前記メッセージ取得手段および前記メッセージ送信制御手段を備えた電話回線サーバ装置と、を備えた構成とすることが好ましい。この発明では、顧客情報記憶手段およびメッセージ記憶手段を有したデータベースと、パケット交換網を介して携帯通信端末に各種情報を送受信可能に接続され、認証手段、送信先情報取得手段、接続許諾手段および報知手段を備えたパケット通信サーバ装置と、公衆電話網を介して携帯通信端末に各種情報を送受信可能に接続され、メッセージ取得手段およびメッセージ送信制御手段を備えた電話回線サーバ装置とを、それぞれ各種情報を送受信可能に接続する構成としているため、画像データを含むメッセージを良好に伝達するための各種情報の送受信および管理が容易となるとともに、画像データを含むメッセージを良好に伝達する構成の構築が容易となる。
【００２１】
また、本発明の情報配信制御システムは、請求項１ないし請求項１３のいずれかに記載の情報配信制御装置と、前記パケット交換網および前記公衆電話網を介して前記情報配信制御装置と送受信可能に接続される前記携帯通信端末と、を具備したことを特徴とする。
【００２２】
この発明では、良好に画像データを含むストリームデータのメッセージを伝達させることができる請求項１ないし請求項１３のいずれかに記載の情報配信制御装置に、パケット交換網および公衆電話網を介して送受信可能に携帯通信端末を接続させる。このため、画像データを含むメッセージを良好に伝達できる。
【００２３】
さらに、本発明の情報配信制御方法は、演算手段により、携帯通信端末から送信される画像データを含むメッセージデータを、所定の送信先の携帯通信端末に送信可能に取得して記憶する情報配信制御方法であって、前記演算手段は、パケット交換網を介して前記携帯通信端末から送信されこの携帯通信端末を所有する利用者に関する顧客情報を取得し、前記顧客情報を記憶する顧客情報記憶手段に記憶された顧客情報と比較して利用資格の有無を判断する認証工程と、この認証工程で利用資格があると判断することにより、前記パケット交換網を介して前記携帯通信端末へ公衆電話網における所定の電話回線の番号に関する回線情報を送信する接続許諾工程と、前記パケット交換網を介して前記携帯通信端末から送信される前記メッセージデータを送信する前記送信先の携帯通信端末に関する送信先情報を取得する送信先情報取得工程と、前記所定の電話回線を介して前記携帯通信端末から送信される前記メッセージデータを取得してメッセージ記憶手段に記憶させるメッセージ取得工程と、このメッセージ取得工程で前記メッセージデータを取得することにより、前記送信先情報に基づいて、前記メッセージデータが送信された旨を前記送信先の携帯通信端末で報知させる報知信号を、前記送信先の携帯通信端末へ前記パケット交換網を介して送信させる報知工程と、前記送信先の携帯通信端末からの送信要求に関する要求情報を取得すると、前記メッセージ記憶手段に記憶された前記メッセージデータを前記送信先の携帯通信端末へ前記公衆電話網を介して送信させるメッセージ送信制御工程と、を実施することを特徴とする。
【００２４】
この発明では、演算手段により、認証工程で、パケット交換網を介して携帯通信端末から送信され携帯通信端末を所有する利用者に関する顧客情報を取得し、顧客情報を記憶する顧客情報記憶手段に記憶された顧客情報と比較して利用資格の有無を判断して利用資格があると判断すると、接続許諾工程で、パケット交換網を介して携帯通信端末へ公衆電話網における所定の電話回線の番号に関する回線情報を送信させる。さらに、メッセージ取得工程で、所定の電話回線を介して携帯通信端末から送信される画像データを含むメッセージデータを取得してメッセージ記憶手段に記憶させる。そして、メッセージ取得工程でメッセージデータを取得することにより、パケット交換網を介して携帯通信端末から送信されたメッセージデータを送信する送信先に関し送信先情報取得工程で別途取得した送信先情報に基づいて、報知工程で、メッセージデータが送信された旨を送信先の携帯通信端末で報知させる報知信号を送信先の携帯通信端末へパケット交換網を介して送信させる。また、メッセージ送信制御工程で、送信先の携帯通信端末からメッセージデータの送信要求に関する要求情報を取得すると、その要求情報に基づいてメッセージ記憶手段に記憶されたメッセージデータを送信先の携帯通信端末へ公衆電話網を介して送信させる。このため、ストリームデータとして画像データを含むメッセージデータを１つのデータとして連続して記憶することができ、送信先の都合にかかわらず、いわゆるＴＶ電話と同様に送信可能であるとともに、複数の送信先へも一動作で送信可能となる。さらに、送信先側では都合に応じてメッセージデータを適宜確認可能となる。したがって、良好に画像データを含むストリームデータのメッセージを伝達させることができ、利便性を向上できる。
【００２５】
そして、本発明の情報配信制御プログラムは、演算手段を、請求項１ないし請求項１３のいずれかに記載の情報配信制御装置、または、請求項１４に記載の情報配信制御システムとして機能させることを特徴とする。
【００２６】
この発明では、良好に画像データを含むストリームデータのメッセージを伝達させることができる請求項１ないし請求項１３のいずれかに記載の情報配信制御装置として演算手段を機能させる。このため、画像データを含むメッセージを良好に伝達できる構成が容易に得られ、利用の拡大が容易に図れる。
【００２７】
また、本発明の情報配信制御プログラムを記録した記録媒体は、請求項１６に記載の情報配信制御プログラムが演算手段に読取可能に記録されたことを特徴とする。
【００２８】
この発明では、画像データを含むメッセージを良好に伝達できる構成が容易に得られ、利用の拡大が容易に図れる請求項１６に記載の情報配信制御プログラムを、コンピュータなどの演算手段に読取可能に記録している。このため、コンピュータに適宜読み取らせることで、容易に画像データを含むメッセージを良好に伝達できる構成を構築でき、プログラムを容易に取り扱いでき、利用の拡大が容易にできる。
【００２９】
なお、本発明における演算手段としては、１つのコンピュータに限らず、複数のコンピュータをネットワーク状に組み合わせた構成、上述したようなＣＰＵやマイクロコンピュータなどの素子、あるいは複数の電子部品が搭載された回路基板などをも含む。
【発明を実施するための最良の形態】
【００３０】
以下、本発明に係る一実施の形態を図面に基づいて説明する。本実施の形態では、本発明の情報配信制御装置を備え画像データとしての映像データおよび音声データを有するメッセージデータを伝達するための情報配信制御システムとしてのＴＶ電話提供システムを例示して説明する。なお、本発明では、伝達するメッセージデータとして、映像データおよび音声データを有する構成に限らず、画像データである静止画像データをいわゆるコマ送り様に複数有するデータ構造、音声データを有しない映像データのみなど、画像データを有するいずれのメッセージデータを対象とすることができる。
【００３１】
〔ＴＶ電話提供システムの構成〕
図１は、本発明に係る一実施の形態におけるＴＶ電話提供システムの概略構成を示すブロック図である。図２は、携帯通信端末の概略構成を示すブロック図である。図３は、サーバシステムの概略構成を示すブロック図である。図４は、携帯通信端末の端末表示手段で画面表示される接続画面を示す概念図である。図５は、携帯通信端末の端末表示手段で画面表示させる登録画面を示す概念図である。図６は、携帯通信端末の端末表示手段で画面表示される送信先設定案内画面を示す概念図である。図７は、携帯通信端末の端末表示手段で画面表示される確認画面を示す概念図である。図８は、携帯通信端末の端末表示手段で画面表示される回線報知画面を示す概念図である。
【００３２】
図１において、１００は情報配信制御システムとしてのＴＶ電話提供システムで、このＴＶ電話提供システム１００は、携帯通信端末から他の携帯通信端末へメッセージデータを送信するためのシステムである。このＴＶ電話提供システム１００は、ネットワーク２００と、このネットワークに接続された携帯通信端末３００と、ネットワークに接続され携帯通信端末３００と各種情報を送受信可能な情報配信制御装置としてのサーバシステム４００と、を備えている。
【００３３】
ネットワーク２００は、ＴＣＰ／ＩＰなどの汎用のプロトコルに基づくインターネット、イントラネット、ＬＡＮ(Local Area Network)、無線媒体により情報が送受信可能な複数の基地局がネットワークを構成する通信回線網や放送網などのネットワーク、さらには、無線通信などの情報を直接送受信するための媒体となる無線媒体自体などが例示できる。ここで、無線媒体としては、電波、光、音波、電磁波などのいずれの媒体をも適用できる。具体的には、ネットワーク２００は、例えば、無線媒体２０１により送受信可能な複数の基地局２１０のホストコンピュータと、この基地局２１０のホストコンピュータが接続する各種プロトコルに基づいたパケット通信のためのパケット交換網（Packet Switching Network：ＰＳＮ）２２０と、基地局２１０のホストコンピュータが接続する公衆電話網（Public Switched Telephone Network：ＰＳＴＮ）２３０と、にて構成される。
【００３４】
携帯通信端末３００は、例えば、携帯電話やＰＨＳ（Personal Handyphone System）、ＰＤＡ（Personal Digital Assistant：携帯情報端末）、携帯型パーソナルコンピュータなどで、パケット交換網および公衆電話網を利用でき、映像データおよび音声データを再生する機能を備えた携帯可能な端末機器である。そして、携帯通信端末３００は、例えば図２に示すように、端末通信手段３１０と、端末操作手段３２０と、端末表示手段３３０と、端末集音手段３４０と、端末撮像手段３５０と、端末発音手段３６０と、端末記憶手段３７０と、端末制御手段３８０と、などを備えている。
【００３５】
端末通信手段３１０は、端末制御手段３８０に接続され、端末制御手段３８０による制御により各種情報を無線媒体２０１によりネットワーク２００の基地局２１０と送受信する。この端末通信手段３１０は、図示しない端末通信アンテナを有し、この端末通信アンテナにより各種情報を、ネットワーク２００を介してサーバシステム４００、さらには図示しない他のサーバ装置やシステムなどと送受信する。
【００３６】
端末操作手段３２０は、端末制御手段３８０に接続され、入力操作される例えば図示しない各種操作ボタンや操作つまみなどを有している。これら操作ボタンや操作つまみの入力操作の内容としては、例えば携帯通信端末３００における動作内容の設定などの設定事項である。具体的には、パケット交換網２２０を介して接続するサーバシステム４００などのアドレスの設定入力、公衆電話網２３０の電話回線番号の設定入力、再生状態の変更や設定、ＴＶ電話機能の各種設定などである。そして、端末操作手段３２０は、設定事項の入力操作により、所定の操作信号を端末制御手段３８０へ適宜出力して設定させる。なお、端末操作手段３２０としては、操作ボタンや操作つまみなどの入力操作に限らず、例えば端末表示手段３３０に設けられたタッチパネルによる入力操作や、端末集音手段３４０で集音した利用者の音声に基づく音声入力、あるいはリモートコントローラなどの無線媒体を介して操作信号を出力する構成など、各種設定事項を設定入力可能ないずれの構成が適用できる。
【００３７】
端末表示手段３３０は、端末制御手段３８０に接続され、端末制御手段３８０による制御にて端末制御手段３８０から出力される画像データや静止画像データなどの画像データを画面表示させる。なお、画像データは、携帯通信端末３００に搭載された図示しないＴＶ受信機で受信したＴＶ映像データ、端末撮像手段３５０で撮像した画像データ、端末記憶手段３７０に記録された画像データ、携帯通信端末３００に接続された外部機器から出力される画像データなど、各種データ構造の画像データを対象とすることができる。また、端末表示手段３３０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００３８】
端末集音手段３４０は、例えば図示しないマイクロフォンを備えている。この端末集音手段３４０は、端末制御手段３８０に接続され、マイクロフォンにて携帯通信端末３００の周囲の発話や各種音を集音し、所定の集音データとして端末制御手段３８０へ出力する。
【００３９】
端末撮像手段３５０は、例えば図示しないＣＣＤ（Charge-Coupled Device）カメラを備えている。そして、端末撮像手段３５０は、端末制御手段３８０による制御にて、ＣＣＤカメラの撮像範囲に位置する被写体を撮像して画像データを生成する。そして、端末撮像手段３５０は、撮像した画像データを端末制御手段３８０へ適宜出力する。
【００４０】
端末発音手段３６０は、端末制御手段３８０に接続され、例えば図示しない増幅部と、この増幅部に接続されたスピーカと、を備えている。そして、端末発音手段３６０は、端末制御手段３８０にて制御され、端末制御手段３８０から出力される音声データを増幅部にて適宜増幅させてスピーカから音として出力させる。なお、出力される音声データとしては、通話の際の送信先からの音声の他、例えばＴＶ受信機で受信したＴＶ音声データや、端末記憶手段３７０に記録された音楽データなどの音声データ、さらには携帯通信端末３００に接続された外部機器から出力される音声データなど、各種データ構造の音声データを対象とすることができる。
【００４１】
端末記憶手段３７０は、端末制御手段３８０に接続され、端末制御手段３８０から出力される各種情報を端末制御手段３８０が読出可能に記憶する。この端末記憶手段３７０は、例えば、ＨＤ（Hard Disk）などの磁気ディスクや磁気テープ、ＣＤ（Compact Disc）やＤＶＤ（Digital Versatile Disc）などの光ディスク、光磁気ディスク、メモリカードなどの着脱可能な各種記録媒体に読み出し可能に記憶するドライブやドライバなどを備えた構成、着脱不可能な半導体メモリなどの他、複数のドライブやドライバ、メモリが組み合わされた複合構造なども対象とすることができる。また、端末記憶手段３７０は、端末操作手段３２０で入力操作される設定事項、端末制御手段３８０から出力される音声データや画像データ、さらには演算処理する信号などの各種情報を適宜読み出し可能に記憶する。さらに、端末記憶手段３７０には、携帯通信端末３００全体を動作制御するＯＳ（Operating System）上に展開される各種プログラムなども記憶している。
【００４２】
端末制御手段３８０は、例えばＣＰＵ（Central Processing Unit）などを備え、図示しない各種入出力ポートを有している。この入出力ポートとしては、例えば端末通信手段３１０が接続される通信ポート、端末操作手段３２０が接続される入力ポート、端末表示手段３３０が接続される表示制御ポート、端末集音手段３４０が接続される集音ポート、端末撮像手段３５０が接続される撮像ポート、端末発音手段３６０が接続される発音ポート、端末記憶手段３７０が接続される記憶ポートなどが例示できる。そして、端末制御手段３８０は、各種プログラムにより、入出力ポートを介して制御信号や応答信号、音声データや画像データなどを送受信し、携帯通信端末３００全体を動作制御する。
【００４３】
サーバシステム４００は、ネットワーク２００に接続され、携帯通信端末３００から送信されるメッセージデータを所定の送信先へ送信させるＴＶ電話機能を提供する。このサーバシステム４００は、例えば、データベース４１０と、パケット通信サーバ装置４２０と、電話回線サーバ装置４３０と、を備え、それぞれ各種情報を送受信可能にイントラネットやＬＡＮ（Local Area Network）などにて接続されたシステム構成である。なお、システム構成に限らず、例えば１台のコンピュータなどの装置構成とするなどしてもよい。
【００４４】
データベース４１０は、ＴＶ電話提供システム１００におけるＴＶ電話機能で利用される各種情報を、パケット通信サーバ装置４２０および電話回線サーバ装置４３０が読出可能に記憶する。このデータベース４１０は、例えば、ＨＤや各種記録媒体に読出可能に記憶するドライブやドライバなどを備えた構成やメモリなどの他、複数のドライブやメモリなどが組み合わされた複合構造などが例示できる。そして、データベース４１０は、例えば図３に示すように、顧客情報記憶手段としての顧客情報記憶領域４１１およびメッセージ記憶手段としてのメッセージ記憶領域４１２を備えている。顧客情報記憶領域４１１は、ＴＶ電話提供システム１００を利用する利用者の他、公衆電話網２３０およびパケット交換網２２０を利用する携帯通信端末３００を所有する利用者に関する顧客情報を記憶する。この顧客情報記憶領域４１１は、例えば、携帯通信端末３００を特定する固有情報である送信元固有情報としての公衆電話網２３０における割り当てられた電話回線番号およびメールアドレス、利用者の氏名や連絡先、住所や居所、ＴＶ電話機能を利用するための会員登録された利用者に割り当てられる暗証番号やＩＤ番号、送信先を１つのグループとしたグループ名称などのグループ情報、各種フラグ情報などが１つの顧客情報として関連付けられ、この顧客情報を複数記憶するデータ構造に構成されている。メッセージ記憶領域４１２は、ＴＶ電話機能における送信するメッセージである画像データおよび音声データを有したメッセージデータを、顧客情報における電話回線番号と関連付けて１つのレコードとして複数記憶するデータ構造に構成されている。なお、メッセージ記憶領域４１２は、例えば、ＴＶ電話機能を利用する登録した利用者にそれぞれ所定の記憶容量で割り当てられた構造としてもよい。
【００４５】
パケット通信サーバ装置４２０は、パケット交換網２２０に接続され、ネットワーク２００を介して携帯通信端末３００と各種情報を送受信可能に接続してＴＶ電話機能を実施するためのメッセージデータの送受信のための各種設定を実施する。このパケット通信サーバ装置４２０は、パケット通信記憶手段４２１と、演算手段として機能するパケット通信演算手段４２２と、などを備えている。なお、このパケット通信サーバ装置４２０には、例えば保守管理や各種設定などのために、入力設定のためのキーボードやマウスなどの操作手段や、入力された事項や動作状態などを表示により報知する表示装置などが設けられた構成としてもよい。
【００４６】
パケット通信記憶手段４２１は、パケット通信演算手段４２２に接続され、パケット通信演算手段４２２から出力される各種情報をパケット通信演算手段４２２が読出可能に記憶する。このパケット通信記憶手段４２１は、データベース４１０と同様に、例えばＨＤや各種記録媒体に読出可能に記憶するドライブやドライバなどを備えた構成やメモリなどの他、複数のドライブやメモリなどが組み合わされた複合構造などが利用できる。また、パケット通信記憶手段４２１は、パケット通信サーバ装置４２０全体を動作制御するＯＳ上に展開される各種プログラムなども記憶している。
【００４７】
パケット通信演算手段４２２は、例えばＣＰＵなどを備えている。そして、パケット通信演算手段４２２は、パケット通信サーバ装置４２０全体の動作を制御し、電話回線サーバ装置４３０とともにＴＶ電話機能を提供する各種制御をする。このパケット通信演算手段４２２は、各種プログラムとして、パケット通信インターフェース手段４２２Ａと、認証手段４２２Ｂと、送信先情報取得手段４２２Ｃと、接続許諾手段４２２Ｄと、報知手段４２２Ｅと、などを備えている。
【００４８】
パケット通信インターフェース手段４２２Ａは、パケット交換網２２０に接続されるとともに、認証手段４２２Ｂ、送信先情報取得手段４２２Ｃ、接続許諾手段４２２Ｄ、および報知手段４２２Ｅと接続され、ＴＶ電話機能の実施のために携帯通信端末３００と送受信させる各種情報をパケット通信可能に処理する。すなわち、パケット通信インターフェース手段４２２Ａは、認証手段４２２Ｂ、送信先情報取得手段４２２Ｃ、接続許諾手段４２２Ｄ、および報知手段４２２Ｅから出力される各種情報をパケットに変換処理してパケット交換網２２０へ送信したり、パケット交換網２２０から受信したパケットを適宜処理して情報として復号化し、認証手段４２２Ｂ、送信先情報取得手段４２２Ｃ、接続許諾手段４２２Ｄ、および報知手段４２２Ｅへ出力したりする処理をする。
【００４９】
認証手段４２２Ｂは、パケット交換網２２０を介して携帯通信端末３００から送信されパケット通信インターフェース手段４２２Ａで受信した顧客情報を取得する。そして、認証手段４２２Ｂは、取得した顧客情報と、データベース４１０の顧客情報記憶領域４１１に記憶された顧客情報と比較し、利用資格の有無を判断する。この利用資格の有無の判断としては、ＴＶ電話機能を利用するのに正当な利用者であるか否かを判断する各種方法が利用できる。例えば、パケット交換網２２０を介して携帯通信端末３００が接続する際に取得する電話回線番号やメールアドレスなどに基づく適切な利用者か否かの判断の他、携帯通信端末３００で設定入力され送信される電話回線番号およびメールアドレスと記憶している顧客情報と一致するか否かの判断、ＴＶ電話機能を利用するための会員登録された利用者に割り当てられた暗証番号やＩＤ番号の一致、ＴＶ電話機能を利用可能な期間が経過した否かの判断などが例示できる。
【００５０】
より具体的には、メッセージデータを送信する送信元の携帯通信端末３００の場合、例えば図４に示すような携帯通信端末３００で表示される接続画面５１０で、携帯通信端末３００からＴＶ電話機能を利用するために所定のパケット交換網におけるアドレスであるＵＲＬ（Uniform Resource Locator）が設定入力されると、あらかじめ記憶された所定のフォーム、例えば図５に示すような登録画面５２０を携帯通信端末３００で画面表示させる登録案内情報をパケット通信記憶手段４２１で送信させる処理をする。そして、登録画面５２０に基づいて携帯通信端末３００で設定入力された電話回線番号およびメールアドレスの顧客情報を取得する。この取得した顧客情報に基づいて、利用資格の有無を判断する。ここで、図４に示す接続画面５１０は、端末操作手段３２０による入力操作にてテキスト入力される領域５１１と、領域５１１にテキスト入力されたＵＲＬを編集するための編集コマンドボタン５１２と、サーバシステム４００と接続させる処理を実施させる接続コマンドボタン５１３と、を有している。また、図５に示す登録画面５２０は、顧客情報として電話回線番号が端末操作手段３２０による入力操作にてテキスト入力される電話番号テキストボックス５２１と、顧客情報としてメールアドレスが端末操作手段３２０による入力操作にてテキスト入力されるメールアドレステキストボックス５２２と、入力された顧客情報でサーバシステム４００にＴＶ電話機能を利用するための登録を設定、すなわち登録要求を送信させる登録コマンドボタン５２３と、を有している。なお、メッセージデータを受信する送信先の携帯通信端末３００の場合、詳細は後述するが、報知手段４２２Ｅによる電子メールによる報知に基づいて報知したＵＲＬでの送信先の携帯通信端末３００の接続時に、送信先の携帯通信端末３００の電話回線番号やメールアドレスを認識し、顧客情報と比較することで、利用資格の有無を判断する。
【００５１】
送信先情報取得手段４２２Ｃは、認証手段４２２Ｂでパケット交換網２２０を介して接続する携帯通信端末３００を利用している利用者が利用資格を有すると判断したことを認識すると、メッセージデータを送信させる送信先に関する送信先情報を取得するための処理をする。すなわち、送信先情報取得手段４２２Ｃは、認証手段４２２Ｂから出力される利用資格を有する旨の信号を認識すると、送信先情報の設定を促す旨の設定案内情報をパケット交換網２２０を介して接続している携帯通信端末へ送信させる。この送信先の設定は、グループ情報を設定して送信先を１つのグループとして設定することも可能となっている。具体的には、送信先情報取得手段４２２Ｃは、例えば図６に示すような送信先設定案内画面５３０を携帯通信端末３００で画面表示させる設定案内情報をパケット通信記憶手段４２１で送信させる処理をする。この図６に示す送信先設定案内画面５３０は、送信先の携帯通信端末３００の送信先情報である電話回線番号が端末操作手段３２０による入力操作にてテキスト入力される送信先電話番号テキストボックス５３１と、送信先の携帯通信端末３００の送信先情報であるメールアドレスが端末操作手段３２０による入力操作にてテキスト入力される送信先メールアドレステキストボックス５３２と、あらかじめ登録され顧客情報として記憶された送信先情報であるグループ情報として登録グループ名称などが端末操作手段３２０による入力操作にてテキスト入力されるグループ名テキストボックス５３３と、メッセージデータを他の送信先にも送信するために他の送信先情報を設定入力するための画面表示を表示させるための別送信先登録コマンドボタン５３４と、メッセージデータを他のグループにも送信するために他のグループ情報を設定入力するための画面表示を表示させるための別グループ登録コマンドボタン５３５と、登録のための設定入力を終了して設定入力した送信先情報をサーバシステム４００へ送信させる処理を実施させる登録終了コマンドボタン５３６と、を有している。
【００５２】
そして、送信先情報取得手段４２２Ｃは、図６に示す送信先設定案内画面５３０に基づいて携帯通信端末３００で設定入力され、パケット交換網２２０を介してパケット通信インターフェース手段４２２Ａで受信した送信先情報を取得し、パケット通信記憶手段４２１やデータベース４１０などに適宜記憶させる。この送信先情報の記憶としては、例えば、携帯通信端末３００の顧客情報の送信元固有情報である電話回線番号を関連付けて１つのレコードとして記憶する。そして、送信先情報取得手段４２２Ｃは、送信先情報を取得した旨の信号を接続許諾手段４２２Ｄへ出力する。なお、送信先情報取得手段４２２Ｃは、図６に示す送信先設定案内画面５３０の登録終了コマンドボタン５３６が入力操作されて送信された送信先情報を取得すると、例えば図７に示すような確認画面５４０を、携帯通信端末３００で画面表示させる送信先確認情報をパケット通信記憶手段４２１で送信させる処理をする。この図７に示す確認画面５４０は、パケット交換網２２０を介して接続する携帯通信端末３００の顧客情報である電話回線番号およびメールアドレスと、送信先の電話回線番号およびメールアドレスと、グループが設定された場合にはグループ情報と、を表示する確認領域５４１と、図６の送信先設定案内画面５３０を再表示させたりして送信先の設定入力の変更を実施するための変更コマンドボタン５４２と、送信先を登録するための終了コマンドボタン５４３と、を有している。なお、この確認処理を実施しなくてもよい。
【００５３】
接続許諾手段４２２Ｄは、認証手段４２２Ｂにて利用資格があると判断し送信先情報取得手段４２２Ｃで送信先情報を取得したことを認識すると、送信元の携帯通信端末３００から送信するメッセージデータをサーバシステム４００に登録するための公衆電話網２３０における所定の電話回線番号に関する回線情報を、パケット交換網２２０を介して接続する携帯通信端末３００へ送信させる。具体的には、接続許諾手段４２２Ｄは、例えば図８に示すような回線報知画面５５０を携帯通信端末３００で画面表示させる報知信号をパケット通信記憶手段４２１で送信させる処理をする。この図８に示す回線報知画面５５０は、メッセージデータを登録するための電話回線番号を表示する報知領域５５１と、図７に示す確認画面５４０を表示させる確認コマンドボタン５５２と、パケット通信を終了する完了コマンドボタン５５３と、を有している。なお、送信先情報取得手段４２２Ｃにおける図７に示す確認画面５４０を表示させる確認処理を実施させず、図８に示す回線報知画面５５０の確認コマンドボタン５５２の入力操作から図７に示す確認画面５４０を表示させる確認処理に移行してもよい。そして、接続許諾手段４２２Ｄは、図８に示す回線報知画面５５０を表示させる報知処理を実施し、電話回線サーバ装置４３０でメッセージデータを、設定された送信先に送信可能に取得させる待機状態に設定する。例えば、接続許諾手段４２２Ｄは、ＴＶ電話機能を利用可能とする旨の信号を電話回線サーバ装置４３０へ出力する処理をする。このＴＶ電話機能を利用可能とする旨の信号は、送信元固有情報である電話回線番号が含まれる状態で出力される。なお、メッセージデータの取得待機状態の設定としては、例えばフラグ情報を設定してパケット通信記憶手段４２１やデータベース４１０に記憶させるなどしてもよい。
【００５４】
また、接続許諾手段４２２Ｄは、認証手段４２２Ｂにて利用資格があると判断すると、この判断の際に認識したパケット交換網２２０を介して接続する携帯通信端末３００の電話回線番号やメールアドレスに基づいて、接続する携帯通信端末３００がメッセージデータの送信先か否かを判断する。すなわち、接続許諾手段４２２Ｄは、認識した電話回線番号やメールアドレスと、パケット通信記憶手段４２１やデータベース４１０などに記憶している送信先情報とを比較して、送信先として登録されているか否かを判断する。そして、接続する携帯通信端末３００が送信先として登録されている送信先の携帯通信端末３００であると判断した場合、所定のフォームに基づいて、メッセージデータを送信先の携帯通信端末３００で受信させるための公衆電話網２３０における所定の電話回線番号に関する回線情報を、パケット交換網２２０を介して接続する携帯通信端末３００へ送信させる。
【００５５】
報知手段４２２Ｅは、電話回線サーバ装置４３０でメッセージデータを取得したことを認識すると、パケット通信記憶手段４２１やデータベース４１０などあらかじめ記憶された送信先情報に基づいて、メッセージデータが携帯通信端末３００から送信された旨を送信先の携帯通信端末３００で報知させる報知信号を、送信先の携帯通信端末３００へパケット交換網２２０を介して送信させる。なお、送信先としてグループが設定されている場合には、グループ情報として関連付けられた送信先情報に基づいて、送信先を特定する。この報知処理として、より具体的には、報知手段４２２Ｅは、あらかじめ記憶された所定のフォームを利用して、ＴＶ電話機能を利用したメッセージデータが送信された旨の案内と、送信元の携帯通信端末３００の顧客情報である電話回線番号やメールアドレスとを送信先の携帯通信端末３００で表示により報知する状態に、電子メールを送信する処理をする。なお、表示による報知の形態として、例えば所定の入力操作により自動的に電話回線サーバ装置４３０に公衆電話網２３０を介して接続してメッセージデータを受信させるコマンドボタンなどの機能を設けたり、取得することなく削除要求するコマンドボタンなどの機能を設けたり、複数のメッセージデータがある場合にはそれぞれ一括して表示させたり、未取得のメッセージデータと既取得のメッセージデータとが識別可能に表示させたりするなど、各種付加機能を設けてもよい。
【００５６】
電話回線サーバ装置４３０は、公衆電話網２３０に接続され、ネットワークを介して携帯通信端末３００とメッセージデータおよび各種情報を送受信可能に接続してＴＶ電話機能をする。この電話回線サーバ装置４３０は、電話回線記憶手段４３１と、演算手段としても機能する電話回線演算手段４３２と、などを備えている。なお、この電話回線サーバ装置４３０も、パケット通信サーバ装置４２０のように、操作手段や表示装置などが設けられた構成としてもよい。そして、電話回線演算手段４３２と、パケット通信演算手段４２２とにより、本発明の演算手段が構成される。
【００５７】
電話回線記憶手段４３１は、電話回線演算手段４３２に接続され、電話回線演算手段４３２から出力される各種情報を電話回線演算手段４３２が読出可能に記憶する。この電話回線記憶手段４３１は、データベース４１０と同様に、例えばＨＤや各種記録媒体に読出可能に記憶するドライブやドライバなどを備えた構成やメモリなどの他、複数のドライブやメモリなどが組み合わされた複合構造などが利用できる。また、電話回線記憶手段４３１は、電話回線サーバ装置４３０全体を動作制御するＯＳ上に展開される各種プログラムなども記憶している。
【００５８】
電話回線演算手段４３２は、例えばＣＰＵなどを備えている。そして、電話回線演算手段４３２は、電話回線サーバ装置４３０全体の動作を制御し、パケット通信サーバ装置４２０とともにＴＶ電話機能を提供する各種提供する。この電話回線演算手段４３２は、各種プログラムとして、電話回線インターフェース手段４３２Ａと、メッセージ取得手段４３２Ｂと、メッセージ送信制御手段４３２Ｃと、記憶制御手段４３２Ｄと、などを備えている。
【００５９】
電話回線インターフェース手段４３２Ａは、公衆電話網２３０に接続されるとともに、メッセージ取得手段４３２Ｂおよびメッセージ送信制御手段４３２Ｃと接続され、ＴＶ電話機能の実施のためにメッセージデータや各種情報を携帯通信端末３００と所定の電話回線上で送受信可能に処理する。すなわち、電話回線インターフェース手段４３２Ａは、メッセージ取得手段４３２Ｂおよびメッセージ送信制御手段４３２Ｃから出力される各種情報を電話回線上で送信可能な所定のデータ構造に変換して公衆電話網２３０へ送信したり、公衆電話網２３０から受信した所定のデータ構造を適宜処理して情報として復号化し、メッセージ取得手段４３２Ｂおよびメッセージ送信制御手段４３２Ｃへ出力したりする処理をする。
【００６０】
メッセージ取得手段４３２Ｂは、送信元の携帯通信端末３００から公衆電話網２３０の所定の電話回線を介して送信されるメッセージデータを取得する。すなわち、メッセージ取得手段４３２Ｂは、パケット通信サーバ装置４２０の接続許諾手段４２２Ｄにてメッセージデータの送信元の携帯通信端末３００へ報知した所定の電話回線の電話回線番号に基づいて、ダイヤルによる送信元の携帯通信端末３００から接続要求を認識すると、接続要求に含まれる電話回線番号と、パケット通信サーバ装置４２０の接続許諾手段４２２Ｄからあらかじめ送信されたＴＶ電話機能を利用可能とする旨の信号に含まれる送信元固有情報である電話回線番号とを比較し、メッセージデータの送信元の携帯通信端末３００からの接続要求か否かを判断する。そして、送信元の携帯通信端末３００からの接続要求である場合、送信元の携帯通信端末３００を所定の電話回線で接続させ、メッセージデータの登録を促す案内、例えば音声ガイダンスなどを送信元の携帯通信端末３００へ送信し、メッセージデータの取得待機状態となる。なお、送信元の携帯通信端末３００からの接続要求ではない場合、例えば音声ガイダンスなどにて誤ダイヤルである旨やＴＶ電話機能を利用するための登録が済んでいない旨などの報知や、単に接続をしないなどの処理をする。そして、メッセージデータの取得待機状態で音声ガイダンスなどに基づいて送信元の携帯通信端末３００から映像データおよび音声データが送信され電話回線インターフェース手段４３２Ａで受信したメッセージデータを取得する。このメッセージデータの取得は、送信元の携帯通信端末３００からのメッセージ登録終了や電話回線の切断などによりメッセージデータの終了を認識し、一連のストリームデータとして、データベース４１０へ出力し、記憶させる。このメッセージデータの記憶の際、送信元固有情報と関連付けて記憶させる。また、送信元の携帯通信端末３００から、複数のメッセージデータを取得している場合、メッセージデータを特定する固有情報、例えば通し番号や識別番号、取得や記憶した日時に関する日時情報なども関連付けて記憶させる。
【００６１】
メッセージ送信制御手段４３２Ｃは、送信先の携帯通信端末３００から公衆電話網２３０の所定の電話回線を介して接続要求があると、この接続要求時の要求情報に基づいて、データベース４１０にあらかじめ記憶した所定のメッセージデータを送信先の携帯通信端末３００へ電話回線を介して送信させる。すなわち、パケット通信サーバ装置４２０の報知手段４２２Ｅから電子メールにより報知したＵＲＬに従って送信先の携帯通信端末３００がパケット交換網２２０を介してサーバシステム４００に接続して接続許諾手段４２２Ｄにて報知した所定の電話回線の電話回線番号に送信先の携帯通信端末３００がダイヤルして接続要求すると、この接続要求をメッセージ送信制御手段４３２Ｃが認識し、この接続要求に含まれる要求情報である送信先の携帯通信端末３００の電話回線番号を認識する。また、メッセージ送信制御手段４３２Ｃは、パケット通信記憶手段４２１やデータベース４１０などに記憶されている送信先情報に、接続要求時に認識した電話回線番号を検索し、例えば音声ガイダンスなどにて、送信先に含まれている場合にはメッセージデータがある旨を、送信先に含まれていない場合にはメッセージデータが無い旨など報知する。なお、単に接続をしないなどの処理をしてもよい。この報知において、メッセージデータがある旨の報知では、例えば、送信先側の利用者が送信元を認識できるように、送信先情報に関連付けられた送信元の携帯通信端末３００の電話回線番号などを報知したり、メッセージデータが登録された日時を報知したり、複数のメッセージデータがある場合にはいずれのメッセージデータを送信するかの設定を促す報知をしたりしてもよい。そして、メッセージ送信制御手段４３２Ｃは、例えば音声ガイダンスに従って送信先の携帯通信端末３００からメッセージデータの送信要求があると、あるいは案内を報知してから自動的に、送信先情報に関連付けられた送信元固有情報を認識し、この送信元固有情報が関連付けられた対応するメッセージデータをデータベース４１０から検索して読み取り、電話回線を介して接続している送信先の携帯通信端末３００へ送信する。
【００６２】
記憶制御手段４３２Ｄは、メッセージデータを送信した送信先の携帯通信端末３００から、所定のメッセージデータの削除を要求する旨の削除要求信号が送信されたことを認識すると、データベース４１０のメッセージ記憶領域４１２に記憶された対応するメッセージデータを削除する。この削除要求としては、例えば、メッセージ送信制御手段４３２Ｃでメッセージデータの送信を完了したことを認識すると、削除するか否かの設定を促す音声ガイダンスなどの案内を送信したり、メッセージ送信制御手段４３２Ｃが音声ガイダンスなどにてメッセージがある旨を報知する際に削除するか否かの設定を促す音声ガイダンスなどの案内を送信したりするなどにより、案内に従って削除要求が設定されたことを認識するなどが例示できる。また、記憶制御手段４３２Ｄは、削除要求の対象となるメッセージデータが、削除要求した送信先の携帯通信端末３００以外の携帯通信端末３００も送信先となっている場合、全ての携帯通信端末３００から削除要求が会った場合にのみ、対象のメッセージデータをデータベース４１０から削除させる処理をする。全ての携帯通信端末３００からの削除要求の認識としては、例えばメッセージデータにフラグ情報を関連付けたり、メッセージデータに関連付けた送信元固有情報に関連付く送信先情報に削除要求があった旨のフラグ情報を関連付けたり、削除要求のあった携帯通信端末３００に対応する送信先情報を順次削除したりするなどが例示できる。また、削除要求があった送信先の携帯通信端末３００が電話回線を介して再び接続された場合で対象のメッセージデータを削除していない状態では、メッセージ送信制御手段４３２Ｃにてメッセージデータがある旨の報知において、削除要求のメッセージデータは報知しないようにする。報知の差別化処理についても、上述したフラグ情報などに基づいて認識すればよい。また、記憶制御手段４３２Ｄは、メッセージ送信制御手段４３２Ｃでメッセージデータの送信が完了した旨の信号を認識することにより、自動的にメッセージデータを削除する処理を実施してもよい。
【００６３】
〔ＴＶ電話提供システムの動作〕
次に、上記ＴＶ電話提供システム１００の動作として、送信元の携帯通信端末３００からメッセージデータを送信する動画送信処理と、送信先の携帯通信端末３００でサーバシステム４００からメッセージデータを受信する動画受信処理と、について、図面を参照して説明する。なお、説明の都合上、動画送信処理と、動画受信処理とを分けて説明するが、本発明におけるＴＶ電話提供システム１００は、複数の携帯通信端末３００が同時にサーバシステム４００に接続することで、ＴＶ電話機能を同時に処理できる。また、ＴＶ電話提供システム１００の動作として、ＴＶ電話機能を利用するための会員制について例示する。図９は、送信元の携帯通信端末からメッセージデータを送信する動画送信処理の動作を示すフローチャートである。図１０は、送信先の携帯通信端末でサーバシステムからメッセージデータを受信する動画受信処理の動作を示すフローチャートである。
【００６４】
（動画送信処理）
サーバシステム４００は、電力が供給されて起動すると適宜初期設定を実施して携帯通信端末３００の接続待機状態となる。すなわち、パケット交換網２２０および公衆電話網２３０を介して、携帯通信端末３００からの接続要求の有無を判断する（ステップＳ１０１）。そして、サーバシステム４００は、接続待機状態において、メッセージデータの送信元となる利用者からのＴＶ電話機能の利用要求があったことを認識、すなわちメッセージデータの送信元の携帯通信端末３００がＴＶ電話機能を利用するための例えば図４に示すような接続画面５１０に従った所定のＵＲＬに基づいてパケット交換網２２０を介して接続要求があると、ＴＶ電話機能のサイトを構築するパケット通信サーバ装置４２０と接続させる。
【００６５】
そして、パケット通信サーバ装置４２０は、パケット通信演算手段４２２の認証手段４２２Ｂにより、例えば図５に示す登録画面５２０を接続する携帯通信端末３００へ送信する。この登録画面５２０に基づいて、携帯通信端末３００で利用者が端末操作手段３２０により、顧客情報である携帯通信端末３００の電話回線番号およびメールアドレスが入力され、登録コマンドボタン５２３の入力操作にて設定入力されると、送信元の携帯通信端末３００の端末通信手段３１０によりパケット交換網２２０を介してパケット通信サーバ装置４２０へ顧客情報が送信される。この送信される顧客情報を、パケット通信サーバ装置４２０のパケット通信インターフェース手段４２２Ａで受信して認証手段４２２Ｂが取得する（ステップＳ１０２）。そして、認証手段４２２Ｂは、取得した顧客情報と、ＴＶ電話機能を利用する会員登録の際にあらかじめ設定され既に顧客情報記憶領域４１１に記憶された顧客情報と比較し、利用資格があるか否かを判断、すなわち登録された利用者であるか否かを判断する（ステップＳ１０３）。
【００６６】
このステップＳ１０３において、会員登録していない利用者からのＴＶ電話機能の利用要求であり利用資格がない、あるいは適切に決算されておらず公衆電話網２３０を適式に利用できない利用者で利用資格がないなどと判断すると、利用できない旨を報知する。この報知として、所定のフォームに基づいて、利用方法の案内すなわち会員登録をする手順などの案内に関する情報や公衆電話網２３０を利用できる状態を勧める案内に関する情報などを、携帯通信端末３００へパケット交換網２２０を介して送信するなどが例示できる。そして、パケット通信サーバ装置４２０は、利用できない旨の報知を実施した後に接続を解除し（ステップＳ１０４）、動画送信処理が終了、すなわち接続待機状態となる。
【００６７】
一方、ステップＳ１０３において、利用資格があると判断すると、認証手段４２２Ｂは利用資格がある旨の信号を出力する。この信号を送信先情報取得手段４２２Ｃが認識すると、利用資格を有する携帯通信端末３００がＴＶ電話機能の利用要求を要求していると判断し、メッセージデータを送信させる送信先に関する送信先情報を取得するための処理をする。すなわち、送信先情報取得手段４２２Ｃは、例えば図６に示すような送信先設定案内画面５３０を携帯通信端末３００の端末表示手段３３０で画面表示させる設定案内情報をパケット通信記憶手段４２１により送信させる。この送信先設定案内画面５３０に基づいて、携帯通信端末３００で利用者が端末操作手段３２０により、送信先情報である送信先の携帯通信端末３００の電話回線番号およびメールアドレスが入力され、登録終了コマンドボタン５３６の入力操作にて設定入力されると、送信元の携帯通信端末３００の端末通信手段３１０によりパケット交換網２２０を介してパケット通信サーバ装置４２０へ送信先情報が送信される。この送信される送信先情報を、パケット通信サーバ装置４２０のパケット通信インターフェース手段４２２Ａで受信して送信先情報取得手段４２２Ｃが取得する。さらに、送信先情報取得手段４２２Ｃは、取得した送信先情報を、例えば認証手段４２２Ｂで取得した送信元の携帯通信端末３００における送信元固有情報である電話回線番号と関連付けて１つのレコードとして、パケット通信記憶手段４２１やデータベース４１０などに適宜記憶させる。そして、接続許諾手段４２２Ｄにより、認証手段４２２Ｂにて利用資格があると判断し送信先情報取得手段４２２Ｃで送信先情報を取得したことを認識すると、メッセージデータをサーバシステム４００に登録するための公衆電話網２３０における所定の電話回線番号に関する回線情報を、パケット交換網２２０を介して接続する携帯通信端末３００へ送信させる。すなわち、接続許諾手段４２２Ｄは、例えば図８に示すような回線報知画面５５０を携帯通信端末３００で画面表示させる報知信号をパケット通信記憶手段４２１で送信させる（ステップＳ１０５）。
【００６８】
そして、接続許諾手段４２２Ｄは、ＴＶ電話機能を利用可能とする旨の信号を電話回線サーバ装置４３０へ出力し、電話回線サーバ装置４３０をメッセージデータの取得待機状態に設定する。すなわち、電話回線サーバ装置４３０は、所定の電話回線で送信元の携帯通信端末３００からのダイヤルによる接続要求の有無を判断する（ステップＳ１０６）。このステップＳ１０６で接続要求を認識すると、電話回線サーバ装置４３０における電話回線演算手段４３２のメッセージ取得手段４３２Ｂは、接続要求に含まれる電話回線番号と、パケット通信サーバ装置４２０の接続許諾手段４２２Ｄからあらかじめ送信されたＴＶ電話機能を利用可能とする旨の信号に含まれる送信元固有情報である電話回線番号とを比較し、メッセージデータの送信元の携帯通信端末３００からの接続要求か否かを判断する。具体的には、パケット通信サーバ装置４２０の接続許諾手段４２２Ｄからあらかじめ送信されＴＶ電話機能を利用可能とする旨の信号に含まれる送信元固有情報である電話回線番号の携帯通信端末３００による接続要求か否かを判断する。そして、送信元の携帯通信端末３００からの接続要求であると判断すると、送信元の携帯通信端末３００を所定の電話回線で接続させ、メッセージデータの登録を促す案内、例えば音声ガイダンスなどを送信元の携帯通信端末３００へ送信し、メッセージデータの取得待機状態となる（ステップＳ１０７）。なお、送信元の携帯通信端末３００からの接続要求ではない場合、例えば音声ガイダンスなどにて誤ダイヤルである旨やＴＶ電話機能を利用するための登録が済んでいない旨などの報知や、単に接続をしないなどの処理をし、ステップＳ１０６で接続要求の有無の判断を継続させる。
【００６９】
このステップＳ１０７のメッセージデータの登録を促す案内である録画を開始する案内により、メッセージ取得手段４３２Ｂは、送信元の携帯通信端末３００から映像データおよび音声データが送信され電話回線インターフェース手段４３２Ａで受信したメッセージデータを取得する（ステップＳ１０８）。この後、メッセージ取得手段４３２Ｂは、メッセージデータの登録の終了要求があったか否かを判断する（ステップＳ１０９）。具体的には、送信元の携帯通信端末３００からのメッセージ登録終了の設定入力や電話回線の切断などが実施されたか否かを判断し、メッセージ登録が終了するまで、メッセージデータの取得を継続する。そして、ステップＳ１０９において、メッセージ登録が終了したことを認識すると、メッセージ取得手段４３２Ｂは、取得した一連のストリームデータであるメッセージデータをデータベース４１０へ出力して記憶させ、公衆電話網２３０における所定の電話回線を介した送信元の携帯通信端末３００との接続を切断する（ステップＳ１１０）。この後、メッセージ取得手段４３２Ｂは、パケット通信サーバ装置４２０へメッセージデータを取得した旨の信号を出力する。この信号を認識したパケット通信サーバ装置４２０は、報知手段４２２Ｅにより、取得したメッセージデータの送信元の携帯通信端末３００における送信元固有情報に基づいて、この送信元固有情報に関連付けられてパケット通信記憶手段４２１やデータベース４１０などにあらかじめ記憶された送信先情報を認識する。そして、報知手段４２２Ｅは、送信先情報の送信先のメールアドレスに基づいて、所定のメッセージデータが所定の携帯通信端末３００から送信された旨を送信先の携帯通信端末３００で報知させる報知信号、すなわち所定のフォームの電子メールを送信先の携帯通信端末３００へパケット交換網２２０を介して送信させ（ステップＳ１１１）、動画送信処理を終了する。
【００７０】
（動画受信処理）
サーバシステム４００は、上述した動画送信処理が実施されたか否かを判断する（ステップＳ２０１）。すなわち、所定の送信先へ送信するメッセージデータの録画処理が実施されたかを判断する。そして、メッセージデータの録画処理が実施されていることを認識すると、メッセージデータを受信させるための公衆電話網２３０における所定の電話回線番号に関する回線情報を、パケット交換網２２０を介して接続する携帯通信端末３００へ送信させる。すなわち、接続許諾手段４２２Ｄは、例えば図８に示す回線報知画面５５０のような所定のフォームに基づいて、電話回線番号を携帯通信端末３００で画面表示させる報知信号をパケット通信記憶手段４２１で送信させる（ステップＳ２０２）。そして、接続許諾手段４２２Ｄは、メッセージデータの受信要求があった旨の信号を電話回線サーバ装置４３０へ出力し、電話回線サーバ装置４３０をメッセージデータの送出待機状態に設定する。すなわち、電話回線サーバ装置４３０は、所定の電話回線で送信先の携帯通信端末３００からのダイヤルによる接続要求の有無を判断する（ステップＳ２０３）。
【００７１】
このステップＳ２０３で接続要求を認識すると、電話回線サーバ装置４３０における電話回線演算手段４３２のメッセージ送信制御手段４３２Ｃは、接続要求に含まれる電話回線番号を認識する。そして、メッセージ送信制御手段４３２Ｃは、パケット通信記憶手段４２１やデータベース４１０などに記憶されている送信先情報に、接続要求時に認識した電話回線番号を検索し、メッセージデータの送信先の携帯通信端末３００からの接続要求か否かを判断する。そして、送信先の携帯通信端末３００からの接続要求ではない場合、例えば音声ガイダンスなどにて誤ダイヤルである旨やＴＶ電話機能を利用するための登録が済んでいない旨などの報知や、単に接続をしないなどの処理をし、ステップＳ２０３で接続要求の有無の判断を継続させる。一方、送信先の携帯通信端末３００からの接続要求であると判断すると、送信先の携帯通信端末３００を所定の電話回線で接続させ、動画送信処理で登録したメッセージデータを送信する旨の音声ガイダンスなどの案内を送信先の携帯通信端末３００へ送信する（ステップＳ２０４）。このステップＳ２０４における案内の際、複数の送信すべきメッセージデータが既に登録されている場合、いずれのメッセージデータを送信すべきかの選択設定を促す案内をする。なお、ステップＳ２０４におけるメッセージデータを送信する旨の案内の際などで、送信先の携帯通信端末３００から端末操作手段３２０による入力操作により、メッセージデータの削除要求があった場合、メッセージ送信制御手段４３２Ｃによるメッセージデータの送出処理を実施せず、記憶制御手段４３２Ｄによりデータベース４１０のメッセージ記憶領域４１２に記憶された対応するメッセージデータを削除する処理をする。
【００７２】
そして、ステップＳ２０４の後、メッセージ送信制御手段４３２Ｃは、例えば音声ガイダンスに基づいて送信先の携帯通信端末３００から送信要求があったことを認識、あるいは送信要求の有無を判断することなく自動的に、送信先情報に関連付けられた送信元固有情報を認識し、この送信元固有情報が関連付けられた対応するメッセージデータをデータベース４１０から検索して読み取り、電話回線を介して接続している送信先の携帯通信端末３００へ送信する（ステップＳ２０５）。この後、メッセージ送信制御手段４３２Ｃは、一連のメッセージデータを全て送出したことを認識すると（ステップＳ２０６）、公衆電話網２３０における所定の電話回線を介した送信先の携帯通信端末３００との接続を切断し（ステップＳ２０７）、動画受信処理を終了する。なお、ステップＳ２０６において、メッセージデータの送出完了を認識する前に、送信先の携帯通信端末３００との電話回線が切断されたことを認識すると、そのまま動画受信処理を終了する。
【００７３】
〔ＴＶ電話提供システムの作用効果〕
上述したように、上記実施の形態では、認証手段４２２Ｂにより、パケット交換網２２０を介して携帯通信端末３００から送信され携帯通信端末３００を所有する利用者に関する顧客情報を取得し、顧客情報を記憶する顧客情報記憶領域４１１に記憶された顧客情報と比較して利用資格の有無を判断する。そして、利用資格があると判断すると、接続許諾手段４２２Ｄがパケット交換網２２０を介して携帯通信端末３００へ公衆電話網２３０における所定の電話回線の番号に関する回線情報を送信させる。この送信した回線情報に従って接続する携帯通信端末３００から、所定の電話回線を介して画像データを含むメッセージデータが送信されると、メッセージ取得手段４３２Ｂにて取得してメッセージ記憶領域４１２に記憶させる。そして、メッセージデータの取得により、送信先情報取得手段４２２Ｃにて別途取得されパケット交換網２２０を介して携帯通信端末３００から送信されたメッセージデータを送信する送信先に関する送信先情報に基づいて、メッセージデータが送信された旨を送信先の携帯通信端末３００で報知させる報知信号を、報知手段４２２Ｅにより送信先の携帯通信端末３００へパケット交換網２２０を介して送信させる。また、報知信号に基づいて所定の電話回線に接続した送信先の携帯通信端末３００からメッセージデータの送信要求に関する要求情報を認識すると、メッセージ送信制御手段４３２Ｃにより、その要求情報に基づいてメッセージ記憶領域４１２に記憶したメッセージデータを送信先の携帯通信端末３００へ公衆電話網２３０を介して送信させる。
【００７４】
このため、一連のデータ構造であるストリームデータとして画像データを含むメッセージデータを一連に記憶することができ、送信先の都合にかかわらず、いわゆるＴＶ電話と同様に送信元の携帯通信端末３００から送信できる。また、メッセージデータを一旦記憶しておき、送信元で設定した送信先へメッセージデータを送信可能とするので、複数の送信先へも一動作で送信できる。さらに、送信先側では、都合に応じてメッセージデータを確認できるとともに、再度確認することもできる。したがって、良好に画像データを含むストリームデータのメッセージを、伝達させることができ、利便性を向上できる。
【００７５】
そして、メッセージ送信制御手段４３２Ｃにより、パケット交換網２２０を介して送信先の携帯通信端末３００から送信される要求情報に含まれる顧客情報に基づいて認証手段４２２Ｂが利用資格を有すると判断した送信先の携帯通信端末３００へ、公衆電話網２３０を介してメッセージデータを送信することにより、利用資格を有する送信先の携帯通信端末３００のみがメッセージデータを取得できることとなる。このことにより、メッセージの漏洩もより容易に防止でき、良好なメッセージの伝達ができる。
【００７６】
さらに、メッセージ送信制御手段４３２Ｃにより、認証手段４２２Ｂで利用資格を有すると判断した送信先の携帯通信端末３００へ、接続許諾手段４２２Ｄにより公衆電話網２３０における所定の電話回線に関する回線情報を送信させ、所定の電話回線を介して送信先の携帯通信端末３００が接続されたことを認識すると要求情報として認識し、メッセージデータを送信させる処理をする。このため、１つのストリームデータとして記憶するメッセージデータを、送信先側でいわゆるＴＶ電話と同様に連続して受信でき、良好に画像データを含むストリームデータのメッセージを送信先に伝達させることができる。
【００７７】
また、メッセージ送信制御手段４３２Ｃにより、送信先の携帯通信端末３００へ送信するメッセージデータがメッセージ記憶領域４１２に複数記憶していることを認識すると、メッセージデータのうちのいずれのメッセージデータを送信すべきかの選択設定を利用者に促す案内に関する案内情報を、接続している電話回線を介して送信させる。このため、所定の送信先の携帯通信端末３００へ複数のメッセージデータを伝達させることができるとともに、送信先の携帯通信端末３００側で所望とするメッセージのみを適切に取得でき、使い勝手を向上できる。
【００７８】
そして、記憶制御手段４３２Ｄにより、メッセージデータを送信する送信先の携帯通信端末３００からメッセージ送信制御手段４３２Ｃへ削除を要求する旨の削除要求信号が送信されたことを認識すると、メッセージ記憶領域４１２に記憶された対応するメッセージデータを削除させる。このため、送信先の携帯通信端末３００で既に取得したメッセージデータを記憶する領域を有効活用でき、データベース４１０の構成を容易に簡略化できるとともに、送信先の携帯通信端末３００で削除を要求しないことで再接続によるメッセージデータの再確認もでき、利便性を向上できる。
【００７９】
さらに、記憶制御手段４３２Ｄにより、メッセージデータを送信する送信先の携帯通信端末３００が複数ある場合、全ての送信先の携帯通信端末３００から削除要求信号を認識することでメッセージデータを削除する制御をする。このため、全ての送信先の携帯通信端末３００がメッセージデータを取得するまでメッセージデータが削除されないこととなり、確実に送信先にメッセージを伝達できる。
【００８０】
また、メッセージ取得手段４３２Ｂにより、メッセージを送信した送信元の携帯通信端末３００を特定する送信元固有情報である電話回線番号と、メッセージデータを特定するメッセージ固有情報とを、取得したメッセージデータに関連付けてメッセージ記憶領域４１２に記憶させる。このため、メッセージ固有情報に基づいて送信元の携帯通信端末３００から複数のメッセージを特定して伝達させることができるとともに、送信元固有情報に基づいて送信先に送信元を報知することでいずれの送信元からのメッセージかを送信先で特定することも容易にできる。さらには、複数のメッセージデータの特定や送信先における送信元の特定が容易にできる構成が、簡単なデータ構造で容易に得られ、メッセージの伝達および管理が容易にできる。
【００８１】
そして、複数の送信先情報を１つのグループとして関連付けるグループ情報を取得可能な送信先情報取得手段４２２Ｃがグループ情報を取得することにより、報知手段４２２Ｅにより、グループ情報に基づいて、１つのグループとして関連付けられた複数の送信先情報に対応する送信先の携帯通信端末３００へ報知信号を送信させる。このため、一動作で複数の送信先へメッセージを伝達させることが容易にでき、利便性を向上できる。
【００８２】
また、顧客情報にグループ情報を関連付けて記憶するデータ構造に顧客情報記憶領域４１１を構築可能としている。このため、あらかじめ設定したグループ情報を選択するのみで複数の送信先へメッセージを伝達させることもでき、簡単なデータ構造でメッセージを良好に伝達させる構成が得られ、使い勝手を向上できる。
【００８３】
そして、接続許諾手段４２２Ｄにより、認証手段４２２Ｂにて利用資格があると判断すると、送信先情報取得手段４２２Ｃにより送信先情報の設定を促す旨の設定案内情報をメッセージデータの送信元の携帯通信端末３００へパケット交換網２２０を介して送信させるとともに、設定された送信先情報を送信先情報取得手段４２２Ｃが取得したことを認識すると、回線情報を送信元の携帯通信端末３００へ送信させる。このため、メッセージを伝達するための各種設定をパケット交換網２２０により実施した後に、送信するメッセージデータを公衆電話網２３０により取得する処理を実施するので、メッセージの伝達のためにパケット交換網２２０と公衆電話網２３０とを切り替える操作や処理の繰り返しを防止でき、円滑かつ迅速で容易なメッセージの伝達ができる。
【００８４】
また、接続許諾手段４２２Ｄにより、回線情報を送信させる制御をするとともに、設定された送信先情報に対応した送信先の携帯通信端末３００から送信されるメッセージデータの取得待機状態にメッセージ取得手段４３２Ｂを設定する。このため、メッセージを伝達するための送信先などのパケット交換網２２０における各種設定と、この設定の後に公衆電話網２３０で取得するメッセージデータとを容易に関連付けることができ、確実なメッセージの伝達が簡単な処理でできる。
【００８５】
そして、顧客情報記憶領域４１１およびメッセージ記憶領域４１２を有したデータベース４１０と、パケット交換網２２０を介して携帯通信端末３００に各種情報を送受信可能に接続され、認証手段４２２Ｂ、送信先情報取得手段４２２Ｃ、接続許諾手段４２２Ｄおよび報知手段４２２Ｅを備えたパケット通信サーバ装置４２０と、公衆電話網２３０を介して携帯通信端末３００に各種情報を送受信可能に接続され、メッセージ取得手段４３２Ｂおよびメッセージ送信制御手段４３２Ｃを備えた電話回線サーバ装置４３０とを、それぞれ各種情報を送受信可能に接続するシステム構成としている。このため、画像データを含むメッセージを良好に伝達するための各種情報の送受信および管理が容易にできるとともに、画像データを含むメッセージを良好に伝達する構成の構築が容易にできる。特に、既に携帯電話などの電話回線を利用するために構築されたＣＴＩ（Computer Telephony Integration）サーバを電話回線サーバ装置４３０として利用することができ、ＴＶ電話機能を提供する構成の構築がより容易にできる。
【００８６】
そして、パケット通信演算手段４２２および電話回線演算手段４３２を例えばＣＰＵなどを用いてプログラムとして構成しているので、プログラムをインストールすることで、良好なメッセージの伝達ができるＴＶ電話機能を提供するサーバシステム４００を構築でき、利用の拡大が容易に図れる。さらには、そのプログラムを記録媒体に記録し、演算手段、すなわちコンピュータに適宜読み取らせる構成とすることで、容易に良好なメッセージの伝達ができるＴＶ電話機能を提供できる構成が得られるとともに、プログラムを容易に取り扱いでき、利用の拡大が容易にできる。
【００８７】
〔実施形態の変形〕
なお、本発明は、上述した各実施の形態に限定されるものではなく、本発明の目的を達成できる範囲で以下に示される変形をも含むものである。
【００８８】
すなわち、ＴＶ電話機能を提供する構成としてＴＶ電話提供システム１００の構成を例示して説明したが、本発明のＴＶ電話機能を提供する構成として、携帯通信端末３００を備えた構成に限らず、携帯通信端末３００がパケット交換網２２０および公衆電話網２３０を介して情報を適宜送受信可能に接続できる構成であればよい。また、ＴＶ電話機能を提供するサーバシステム４００として、システム構成を例示して説明したが、例えば１台のコンピュータや半導体素子などの装置構成とするなどしてもよい。
【００８９】
また、データベース４１０に顧客情報記憶領域４１１およびメッセージ記憶領域４１２を設けて説明したが、例えば顧客情報記憶領域４１１を電話回線記憶手段４３１に設けるなどしてもよい。特に、電話回線を利用するために設定された顧客情報を利用する場合などでは、電話回線サーバ装置４３０で既に構築されている顧客情報記憶領域４１１として利用すると、会員登録のために記憶領域を別途設ける必要がなくなり、より構成の簡略化が得られる。
【００９０】
そして、利用資格があると判断した後に送信先を設定させる処理工程で説明したが、例えば利用資格があると判断した後にメッセージデータを取得し、このメッセージデータを送信する送信先を設定させる処理工程としてもよい。すなわち、パケット交換網２２０で利用資格があると判断すると図８に示す回線報知画面５５０の報知信号を携帯通信端末３００へ送信させる。そして、報知された電話回線番号に接続して公衆電話網２３０を介して電話回線サーバ装置４３０がメッセージデータを取得すると、再びパケット交換網２２０を介して接続させてパケット通信サーバ装置４２０の送信先情報取得手段４２２Ｃにより送信先情報の設定を促す旨の設定案内情報を送信させる。この後、設定された送信先情報を送信先情報取得手段４２２Ｃが取得したことを認識すると、報知手段４２２Ｅにて報知信号を送信先の携帯通信端末３００へ送信させる制御を実施させる。このような構成でも、上述した実施の形態と同様の作用効果を奏する。さらに、このような構成によれば、メッセージデータを取得してから、メッセージを伝達するための送信先などの各種設定を実施することとなり、メッセージを取得して伝達するための一連の工程毎に処理が完結する状態となり、メッセージデータや伝達のための各種設定の情報の取扱が容易にでき、処理の簡略化や迅速化が容易に得られる。
【００９１】
また、図４に示す接続画面５１０、図５に示す登録画面５２０、図６に示す送信先設定案内画面５３０、図７に示す確認画面５４０、図８に示す回線報知画面５５０のフォームを利用して説明したが、これらに基づいてＴＶ電話機能を提供する構成に限らず、いずれの方法で送信先情報の設定・登録、回線情報の報知を実施してもよい。
【００９２】
そして、記憶制御手段４３２Ｄを電話回線サーバ装置４３０に設けてメッセージデータの受信処理時に接続する電話回線での削除要求に基づいてメッセージデータを削除する処理をしたが、公衆電話網２３０を介して削除要求を認識する構成に限らず、例えば記憶制御手段４３２Ｄをパケット通信サーバ装置４２０に設け、電子メールなどにより送信先の携帯通信端末３００から削除要求を認識して削除可能としてもよい。さらには、送信元の携帯通信端末３００からの削除要求により削除したり、登録してから所定日時を経過したものを自動的に削除したりするなどしてもよい。
【００９３】
さらに、送信元と送信先とが電話回線で直接接続するいわゆるＴＶ電話の機能を備えた携帯通信端末３００の構成に限らない。すなわち、送信先にＴＶ電話の機能がない場合でも音声データを再生可能な構成であれば、メッセージデータの音声データのみを再生あるいは音声データのみ再生させたり、動画である映像データを再生できない構成でも静止画像データを再生できる構成であれば、映像データをいわゆるコマ送りの様に映像データの一部を送信あるいは映像データをコマ送りで再生させたりすればよい。さらに、ＴＶ電話の機能を備えた携帯通信端末３００である場合には、例えば。直接端末間で接続するＴＶ電話の機能と、本発明のＴＶ電話機能とを選択できる構成とするなどしてもよい。
【００９４】
そして、本発明のＴＶ電話機能を利用するにあたって会員制としてあらかじめ会員登録して顧客情報を設定しておく構成について説明したが、会員制ではなく従量制、例えばＴＶ電話機能を利用する毎に、公衆電話網２３０を利用するためにあらかじめ設定された顧客情報に基づいて利用資格を判断し、接続する携帯通信端末３００の正当な利用者であって公衆電話網２３０を利用できる適式の利用者か否かなどにより利用資格を判断して利用する構成とするなどしてもよい。
【００９５】
また、例えばＴＶ電話機能の利用を要求する利用者による設定入力に関する情報を認識することで、例えば登録費用や機能利用対価として月々の費用、メッセージデータの送信回数に応じた対価などを演算し、別途請求する処理を実施させる機能をパケット通信演算手段４２２に設けたり、メッセージデータのデータ量や通話時間などを演算して別途請求する処理を実施させる機能を電話回線演算手段４３２に設けたりしてもよい。この請求処理としては、例えば各金融機関が管理する付加価値通信網(Value-Added Network:ＶＡＮ)であるいわゆる金融ＶＡＮに構築されたファームバンキング(Firm Banking:ＦＢ)を利用して決済処理したり、決済処理する旨の表示によりサーバシステム４００を管理する管理者に決済処理を促す案内を報知する処理をしたりするなどが例示できる。
【００９６】
そして、動画受信処理として、メッセージの送信先となるメッセージの受信側の送信通信端末３００で、メッセージが送信されたことのメール受信により電話回線を介して直接的にメッセージを取得する構成で説明したが、例えば、以下の図１１のフローチャートに示すように、送信先側においても利用資格を検証するような処理を実施してよい。このことにより、上述したように、メッセージが漏洩することをより防止できる。
【００９７】
すなわち、図１１は、送信先の携帯通信端末でサーバシステムからメッセージデータを受信する動画受信処理の動作を示すフローチャートである。この図１１のフローチャートで示す動画受信処理としては、サーバシステム４００は、電力が供給されて起動すると適宜初期設定を実施して携帯通信端末３００の接続待機状態となる。すなわち、パケット交換網２２０および公衆電話網２３０を介して、携帯通信端末３００からの接続要求の有無を判断する（ステップＳ３０１）。そして、サーバシステム４００は、接続待機状態において、メッセージデータの送信先となる利用者からのＴＶ電話機能の利用要求があったことを認識、すなわち、動画送信処理と同様に、メッセージデータを受信する送信先の携帯通信端末３００がＴＶ電話機能を利用するための図４に示す接続画面５１０に従った報知された所定のＵＲＬに基づいてパケット交換網２２０を介して接続要求があると、ＴＶ電話機能のサイトを構築するパケット通信サーバ装置４２０と接続させる。
【００９８】
そして、パケット通信サーバ装置４２０は、パケット通信演算手段４２２の認証手段４２２Ｂにより、図５に示す登録画面５２０を接続する携帯通信端末３００へ送信する。この登録画面５２０に基づいて、携帯通信端末３００で利用者が端末操作手段３２０により、顧客情報である携帯通信端末３００の電話回線番号およびメールアドレスが入力され、登録コマンドボタン５２３の入力操作にて設定入力されると、送信元の携帯通信端末３００の端末通信手段３１０によりパケット交換網２２０を介してパケット通信サーバ装置４２０へ顧客情報が送信される。この送信される顧客情報を、パケット通信サーバ装置４２０のパケット通信インターフェース手段４２２Ａで受信して認証手段４２２Ｂが取得する（ステップＳ３０２）。そして、認証手段４２２Ｂは、取得した顧客情報と、ＴＶ電話機能を利用する会員登録の際にあらかじめ設定され既に顧客情報記憶領域４１１に記憶された顧客情報と比較し、利用資格があるか否かを判断、すなわち登録された利用者であるか否かを判断する（ステップＳ３０３）。
【００９９】
このステップＳ３０３において、会員登録していない利用者からのＴＶ電話機能の利用要求であり利用資格がない、あるいは適切に決算されておらず公衆電話網２３０を適式に利用できない利用者で利用資格がないなどと判断すると、動画送信処理と同様に、利用できない旨を報知する。この報知として、所定のフォームに基づいて、利用方法の案内すなわち会員登録をする手順などの案内に関する情報や公衆電話網２３０を利用できる状態を勧める案内に関する情報などを、携帯通信端末３００へパケット交換網２２０を介して送信するなどが例示できる。そして、パケット通信サーバ装置４２０は、利用できない旨の報知を実施した後に接続を解除し（ステップＳ３０４）、動画受信処理が終了、すなわち接続待機状態となる。
【０１００】
一方、ステップＳ３０３において、利用資格があると判断すると、認証手段４２２Ｂは利用資格がある旨の信号を出力する。この信号を接続許諾手段４２２Ｄが認識すると、メッセージデータを受信させるための公衆電話網２３０における所定の電話回線番号に関する回線情報を、パケット交換網２２０を介して接続する携帯通信端末３００へ送信させる。すなわち、接続許諾手段４２２Ｄは、例えば図８に示す回線報知画面５５０のような所定のフォームに基づいて、電話回線番号を携帯通信端末３００で画面表示させる報知信号をパケット通信記憶手段４２１で送信させる（ステップＳ３０５）。そして、接続許諾手段４２２Ｄは、メッセージデータの受信要求があった旨の信号を電話回線サーバ装置４３０へ出力し、電話回線サーバ装置４３０をメッセージデータの送出待機状態に設定する。すなわち、電話回線サーバ装置４３０は、所定の電話回線で送信先の携帯通信端末３００からのダイヤルによる接続要求の有無を判断する（ステップＳ３０６）。
【０１０１】
このステップＳ３０６で接続要求を認識すると、電話回線サーバ装置４３０における電話回線演算手段４３２のメッセージ送信制御手段４３２Ｃは、接続要求に含まれる電話回線番号を認識する。そして、メッセージ送信制御手段４３２Ｃは、パケット通信記憶手段４２１やデータベース４１０などに記憶されている送信先情報に、接続要求時に認識した電話回線番号を検索し、メッセージデータの送信先の携帯通信端末３００からの接続要求か否かを判断する。そして、送信先の携帯通信端末３００からの接続要求ではない場合、例えば音声ガイダンスなどにて誤ダイヤルである旨やＴＶ電話機能を利用するための登録が済んでいない旨などの報知や、単に接続をしないなどの処理をし、ステップＳ３０６で接続要求の有無の判断を継続させる。一方、送信先の携帯通信端末３００からの接続要求であると判断すると、送信先の携帯通信端末３００を所定の電話回線で接続させ、動画送信処理で登録したメッセージデータを送信する旨の音声ガイダンスなどの案内を送信先の携帯通信端末３００へ送信する（ステップＳ３０７）。このステップＳ３０７における案内の際、複数の送信すべきメッセージデータが既に登録されている場合、いずれのメッセージデータを送信すべきかの選択設定を促す案内をする。なお、ステップＳ３０７におけるメッセージデータを送信する旨の案内の際などで、送信先の携帯通信端末３００から端末操作手段３２０による入力操作により、メッセージデータの削除要求があった場合、メッセージ送信制御手段４３２Ｃによるメッセージデータの送出処理を実施せず、記憶制御手段４３２Ｄによりデータベース４１０のメッセージ記憶領域４１２に記憶された対応するメッセージデータを削除する処理をする。
【０１０２】
そして、ステップＳ３０７の後、メッセージ送信制御手段４３２Ｃは、例えば音声ガイダンスに基づいて送信先の携帯通信端末３００から送信要求があったことを認識、あるいは送信要求の有無を判断することなく自動的に、送信先情報に関連付けられた送信元固有情報を認識し、この送信元固有情報が関連付けられた対応するメッセージデータをデータベース４１０から検索して読み取り、電話回線を介して接続している送信先の携帯通信端末３００へ送信する（ステップＳ３０８）。この後、メッセージ送信制御手段４３２Ｃは、一連のメッセージデータを全て送出したことを認識すると（ステップＳ３０９）、公衆電話網２３０における所定の電話回線を介した送信先の携帯通信端末３００との接続を切断し（ステップＳ３１０）、動画受信処理を終了する。なお、ステップＳ３０９において、メッセージデータの送出完了を認識する前に、送信先の携帯通信端末３００との電話回線が切断されたことを認識すると、そのまま動画受信処理を終了する。
【０１０３】
その他、本発明の実施の際の具体的な構造および手順は、本発明の目的を達成できる範囲で他の構造などに適宜変更できる。
【図面の簡単な説明】
【０１０４】
【図１】本発明における一実施の形態に係るＴＶ電話提供システムの概略構成を示すブロック図である。
【図２】前記実施の形態における携帯通信端末の概略構成を示すブロック図である。
【図３】前記実施の形態におけるサーバシステムの概略構成を示すブロック図である。
【図４】前記実施の形態における携帯通信端末の端末表示手段で画面表示される接続画面を示す概念図である。
【図５】前記実施の形態における携帯通信端末の端末表示手段で画面表示させる登録画面を示す概念図である。
【図６】前記実施の形態における携帯通信端末の端末表示手段で画面表示される送信先設定案内画面を示す概念図である。
【図７】前記実施の形態における携帯通信端末の端末表示手段で画面表示される確認画面を示す概念図である。
【図８】前記実施の形態における携帯通信端末の端末表示手段で画面表示される回線報知画面を示す概念図である。
【図９】前記実施の形態における送信元の携帯通信端末からメッセージデータを送信する動画送信処理の動作を示すフローチャートである。
【図１０】前記実施の形態における送信先の携帯通信端末でサーバシステムからメッセージデータを受信する動画受信処理の動作を示すフローチャートである。
【図１１】本発明における他の実施の形態に係るＴＶ電話提供システムでの送信先の携帯通信端末でサーバシステムからメッセージデータを受信する動画受信処理の動作を示すフローチャートである。
【符号の説明】
【０１０５】
１００……情報配信制御システムとしてのＴＶ電話提供システム
２２０……パケット交換網
２３０……公衆電話網
３００……携帯通信端末
４００……情報配信制御装置としてのサーバシステム
４１０……データベース
４１１……顧客情報記憶手段としての顧客情報記憶領域
４１２……メッセージ記憶手段としてのメッセージ記憶領域
４２０……パケット通信サーバ装置
４２２……演算手段を構成するパケット通信演算手段
４２２Ｂ…認証手段
４２２Ｃ…送信先情報取得手段
４２２Ｄ…接続許諾手段
４２２Ｅ…報知手段
４３０……電話回線サーバ装置
４３２……演算手段を構成する電話回線演算手段
４３２Ｂ…メッセージ取得手段
４３２Ｃ…メッセージ送信制御手段
【図１】
2006197341.tif 000003
【図２】
2006197341.tif 000004
【図３】
2006197341.tif 000005
【図４】
2006197341.tif 000006
【図５】
2006197341.tif 000007
【図６】
2006197341.tif 000008
【図７】
2006197341.tif 000009
【図８】
2006197341.tif 000010
【図９】
2006197341.tif 000011
【図１０】
2006197341.tif 000012
【図１１】
2006197341.tif 000013